(57)【要約】多種の多重接続技術が支持されるシステム、方法及びそのフレーム構造であって、前記方法は、基地局が下行フレームを送信し、下行フレームにおいて少なくとも１つの下行多重接続エリアを含み、下行多重接続エリア毎に１種の下行多重接続技術が支持され、各下行多重接続エリアが１つあるいは複数の上行多重接続エリアに関連付けられ、下行多重接続エリア毎の上行制御メッセージには、関連付けられた上行多重接続エリアが支持する上行多重接続技術情報、及び対応な初期アクセスエリアの割当情報を含み、上行フレームは、異なる上行多重接続技術が支持される少なくとも２つの上行多重接続エリアに区画され、端末は、下行チャンネルをスキャンし、自身が支持する下行多重接続技術の同期信号を捜索し、基地局と同期を建立した後、対応な下行多重接続エリアから上行制御メッセージを獲得し、それにおける情報に基づき、自身が支持される上行多重接続技術があると判断し、当該上行制御メッセージに指示された初期アクセスエリア情報に基づき、初期ネットワークアクセスを行い、そうでなければ、チャンネルの再スキャンを行うことを含む。
2010524308.tif 000002
【特許請求の範囲】
【請求項１】
多種の多重接続技術が支持されるシステムにおける端末のアクセス方法であって、
（ａ）基地局が下行フレームを送信し、下行フレームにおいて少なくとも１つの下行多重接続エリアを含み、下行多重接続エリア毎に１種の下行多重接続技術が支持され、各下行多重接続エリアが１つあるいは複数の上行多重接続エリアに関連付けられ、下行多重接続エリア毎の上行制御メッセージには、関連付けられた上行多重接続エリアが支持する上行多重接続技術情報、及び対応な初期アクセスエリアの割当情報を含み、上行フレームは、異なる上行多重接続技術が支持される少なくとも２つの上行多重接続エリアに区画され、
（ｂ）端末は、下行チャンネルをスキャンし、自身が支持する下行多重接続技術の同期信号を捜索し、基地局と同期を取った後、対応な下行多重接続エリアから上行制御メッセージを獲得し、それにおける情報に基づき、自身が支持される上行多重接続技術があると判断し、当該上行制御メッセージに指示された初期アクセスエリア情報に基づき、初期ネットワークアクセスを行い、そうでなければ、チャンネルの再スキャンを行うステップを含むアクセス方法。
【請求項２】
前記上行多重接続エリアと下行多重接続エリアは、時間分割様態あるいは周波数分割様態により区画され、前記下行多重接続エリア毎の上行制御メッセージには、関連付けられた上行多重接続エリアの位置及び/或いはサイズ情報をさらに含み、前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることであることを特徴とする請求項１に記載のアクセス方法。
【請求項３】
基地局が送信した前記下行フレームは、上行フレームにおける複数の上行多重接続エリアに関連付けられた１つの下行多重接続エリアを含み、
或いは、基地局が送信した前記下行フレームは、それぞれが上行フレームにおける１つ或いは複数の上行多重接続エリアに関連付けられた少なくとも２つの下行多重接続エリアを含むことを特徴とする請求項１或いは２に記載のアクセス方法。
【請求項４】
前記上行多重接続エリアに対応な初期アクセスエリアの割当情報は、初期アクセスエリアの位置、サイズ、支持される上行多重接続技術のタイプのうちの１つ或いは任意の組合を含むことを特徴とする請求項１或いは２に記載の方法。
【請求項５】
異なる上行多重接続技術を利用する端末は、異なる初期アクセスエリアを使用してアクセスを行い、各初期アクセスエリアは、対応な上行多重接続エリアに位置し、
或いは、初期アクセスエリアは、上行フレームにおける共用エリアに位置し、多種の上行多重接続技術を利用する端末は、同じの初期アクセスエリアを使用してアクセスを行うことができることを特徴とする請求項４に記載の方法。
【請求項６】
前記下行フレームが複数の下行多重接続エリアを含む場合、各下行多重接続エリアの相対位置も変更可能であり、
ある下行多重接続エリアの位置を変更する必要がある場合、基地局は、下行多重接続エリアに対応な下行制御メッセージにおいて、位置変更の情報を繰り上げ送信し、当該位置変更の情報は、下行多重接続エリアのフレームにおける新たな位置、及び発生したフレームを含み、
端末は、基地局と通常な通信を行い、端末が下行多重接続エリアの下行制御メッセージに指示された、以降のある１つのフレームにおける当該下行多重接続エリアの位置変更の情報を受信した後、指示に従い、新たな下行多重接続エリアが位置するフレームにおいて、同期信号の捜索を行い、同期を完了した後、通常な通信を続けることを特徴とする請求項１或いは２に記載のアクセス方法。
【請求項７】
前記基地局は、各下行多重接続エリアの同期チャンネルにおいて、各下行多重接続技術の同期信号を送信し、
或いは、前記基地局は、下行フレームの共用の同期エリアにおいて、全ての下行多重接続技術の端末に同期信号を送信し、各下行多重接続技術の同期信号は１つの下行多重接続エリアに対応することを特徴とする請求項１或いは２に記載のアクセス方法。
【請求項８】
前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含むことを特徴とする請求項１或いは２に記載の方法。
【請求項９】
多種の多重接続技術が支持されるシステムが下行伝送を実現する方法であって、
（ａ）基地局が下行フレームを送信し、下行フレームにおいて少なくとも１つの下行多重接続エリアを含み、下行多重接続エリア毎に１種の下行多重接続技術の送信が支持され、各下行多重接続エリアが１つあるいは複数の上行多重接続エリアに関連付けられ、下行多重接続エリア毎の上行制御メッセージには、関連付けられた上行多重接続エリアの情報を含み、下行多重接続エリア毎の下行制御メッセージには、当該エリアのリソース割当情報を含み、上行フレームは、異なる上行多重接続技術が支持される少なくとも２つの上行多重接続エリアに区画され、
（ｂ）端末は、初期アクセスを完了した後、支持する下行多重接続技術に対応な下行多重接続エリアから下行制御メッセージを獲得し、それにおけるリソース割当情報に基づき、基地局により下行送信されたデータを受信するステップを含む方法。
【請求項１０】
基地局が送信した前記下行フレームは、上行フレームにおける複数の上行多重接続エリアに関連付けられた１つの下行多重接続エリアを含み、或いは、基地局が送信した前記下行フレームは、それぞれが上行フレームにおける１つ或いは複数の上行多重接続エリアに関連付けられた少なくとも２つの下行多重接続エリアを含み、前記上行多重接続エリアと下行多重接続エリアは、時間分割様態あるいは周波数分割様態により区画され、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることであることを特徴とする請求項９に記載の方法。
【請求項１１】
前記下行多重接続エリア毎の下行制御メッセージには、当該エリアのリソース割当情報に加え、下行多重接続エリアの位置情報及び/或いは下行発信パラメーターをさらに含み、前記リソース割当情報は、下行リソースブロックの位置、サイズ、タイプ、宛先アドレス、発信パラメーターのうちの１種或いは任意の組合をさらに含み、当該宛先アドレスは、当該下行リソースブロックにデータを受信可能な端末を指示することに用いられることを特徴とする請求項９或いは１０に記載の方法。
【請求項１２】
前記下行フレームが複数の下行多重接続エリアを含む場合、各下行多重接続エリアの相対位置が変更可能であり、ある下行多重接続エリアの位置を変更する必要がある場合、基地局は、下行多重接続エリアに対応な下行制御メッセージにおいて、位置変更の情報を繰り上げ送信し、当該位置変更の情報は、下行多重接続エリアのフレームにおける新たな位置、及び発生したフレームを含み、端末は、下行多重接続エリアの下行制御メッセージに指示された、以降のある１つのフレームにおける当該下行多重接続エリアの位置変更の情報を受信した後、指示に従い、新たな下行多重接続エリアが位置するフレームにおいて、同期信号の捜索を行い、同期を完了した後、通常な通信を続けることを特徴とする請求項９或いは１０に記載の方法。
【請求項１３】
前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含むことを特徴とする請求項１０或いは１１に記載の方法。
【請求項１４】
多種の多重接続技術が支持されるシステムが上行伝送を実現する方法であって、当該プロセスは
（ａ）基地局が下行フレームを送信し、下行フレームにおいて少なくとも１つの下行多重接続エリアを含み、下行多重接続エリア毎に１種の下行多重接続技術の送信が支持され、各下行多重接続エリアが１つあるいは複数の上行多重接続エリアに関連付けられ、下行多重接続エリア毎の上行制御メッセージには、関連付けられた上行多重接続エリアのリソース割当情報を含み、上行フレームは、異なる上行多重接続技術が支持される少なくとも２つの上行多重接続エリアに区画され、
（ｂ）端末は、初期アクセスを完了した後、支持する下行多重接続技術に対応な下行多重接続エリアから上行制御メッセージを獲得し、それにおけるリソース割当情報に基づき、利用可能なリソースブロックにおいて、自身の上行多重接続技術を使用して上行送信を行うステップを含む。
【請求項１５】
基地局が送信した前記下行フレームは、上行フレームにおける複数の上行多重接続エリアに関連付けられた１つの下行多重接続エリアを含み、或いは、基地局が送信した前記下行フレームは、それぞれが上行フレームにおける１つ或いは複数の上行多重接続エリアに関連付けられた少なくとも２つの下行多重接続エリアを含み、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることであることを特徴とする請求項１４に記載の方法。
【請求項１６】
前記上行制御メッセージには、関連付けられた上行多重接続エリアのリソース割当情報に加え、関連付けられた上行多重接続エリアの、支持する上行多重接続技術情報、位置、サイズのうちの１種或いは任意の組合をさらに含み、ここで、リソース割当情報は、上行リソースブロックの位置、サイズ、タイプ、宛先アドレス、発信パラメーターのうちの１種或いは任意の組合を含み、当該宛先アドレスは、当該上行リソースブロックに上行送信可能な端末を指示することに用いられることを特徴とする請求項１４或いは１５に記載の方法。
【請求項１７】
前記上行フレームにおける複数の上行多重接続エリアの相対位置が変更可能であり、
ある上行多重接続エリアの位置を変更する必要がある場合、基地局は、下行多重接続エリアに対応な上行制御メッセージにおいて、上行多重接続エリアの位置変更の情報を送信し、カレントフレームにおける上行多重接続エリアの新たな位置を指示し、
端末は、下行多重接続エリアの上行制御メッセージに指示されたカレントフレームにおける上行多重接続エリアの新たな位置情報を受信した後、新たな上行多重接続エリアで上行信号の送信を行うことを特徴とする請求項１４或いは１５に記載の方法。
【請求項１８】
前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含むことを特徴とする請求項１４或いは１５に記載の方法。
【請求項１９】
上行フレームと下行フレームを含む、多種の多重接続技術が支持されるシステムフレーム構造であって、
前記下行フレームにおいて少なくとも１つの下行多重接続エリアを含み、下行多重接続エリア毎に１種の下行多重接続技術が支持され、前記上行フレームにおいて、異なる上行多重接続技術が支持される少なくとも２つの上行多重接続エリアを含み、各下行多重接続エリアは、１つあるいは複数の上行多重接続エリアに関連付けられることを特徴とする上行フレームと下行フレームを含む、多種の多重接続技術が支持されるシステムフレーム構造。
【請求項２０】
前記下行フレームは、上行フレームにおける複数の上行多重接続エリアに関連付けられた１つの下行多重接続エリアを含み、或いは、前記下行フレームは、それぞれが上行フレームにおける１つ或いは複数の上行多重接続エリアに関連付けられた少なくとも２つの下行多重接続エリアを含み、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることであり、下行多重接続エリア毎の上行制御メッセージには、関連付けられた上行多重接続エリアの情報を含むことを特徴とする請求項１９に記載のシステムフレーム構造。
【請求項２１】
前記上行フレームには初期アクセスエリアをさらに含み、初期接続エリアは、対応な１つの上行多重接続エリアに位置し、或いは、初期接続エリアは、上行フレームにおける共用エリアに位置することを特徴とする請求項１９或いは２０に記載のシステムフレーム構造。
【請求項２２】
前記上行制御メッセージにおける関連付けられた上行多重接続エリアの情報は、対応な初期アクセスエリアの割当情報、支持する上行多重接続技術情報、関連付けられた上行多重接続エリア位置、サイズ、発信パラメーター、リソース割当情報のうちの１種或いは任意の組合を含み、ここで、リソース割当情報は、上行リソースブロックの位置、サイズ、タイプ、宛先アドレス、発信パラメーターのうちの１種或いは任意の組合を含み、当該宛先アドレスは、当該上行リソースブロックに上行送信可能な端末を指示することに用いられることを特徴とする請求項１９或いは２０に記載のシステムフレーム構造。
【請求項２３】
前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含むことを特徴とする請求項１９或いは２０に記載のシステムフレーム構造。
【請求項２４】
各下行多重接続エリアの同期チャンネルにおいて、下行多重接続技術に対応な同期信号を含み、或いは、下行フレームの共用の同期チャンネルエリアにおいて、全ての下行多重接続技術の同期信号を含み、各下行多重接続技術の同期信号は１つの下行多重接続エリアに対応することを特徴とする請求項１９或いは２０に記載のシステムフレーム構造。
【請求項２５】
基地局と端末とを含む、多種の多重接続技術が支持されるシステムであって、
前記基地局は、下行フレームを送信し、下行フレームにおいて少なくとも１つの下行多重接続エリアを含み、下行多重接続エリア毎に１種の下行多重接続技術の送信が支持され、各下行多重接続エリアが１つあるいは複数の上行多重接続エリアに関連付けられ、下行多重接続エリア毎の上行制御メッセージには、関連付けられた上行多重接続エリアが支持する上行多重接続技術情報と、対応な初期アクセスエリアの割当情報と、当該下行多重接続エリアに関連付けられた上行多重接続エリアのリソース割当情報とを含み、下行多重接続エリア毎の下行制御メッセージには、当該下行多重接続エリアのリソース割当情報を含み、上行フレームは、異なる上行多重接続技術が支持される少なくとも２つの上行多重接続エリアに区画され、
前記端末は、下行チャンネルをスキャンし、自身が支持する下行多重接続技術の同期信号を捜索し、基地局と同期を取った後、対応な下行多重接続エリアから上行制御メッセージを獲得し、それにおける情報に基づき、システムが自身の上行多重接続技術を支持すると判断した場合、当該上行制御メッセージに指示された初期アクセスエリア情報に基づき、初期ネットワークアクセスを行ってから、支持する下行多重接続技術に対応の下行多重接続エリアから、下行制御メッセージと上行制御メッセージとを獲得し、それにおけるリソース割当情報に基づき、基地局が下行送信したデータを受信し、及び、利用可能なリソースブロックにおいて、自身の上行多重接続技術を使用して上行送信を行うことを特徴とする基地局と端末とを含む、多種の多重接続技術が支持されるシステム。
【請求項２６】
基地局が送信した前記下行フレームは、上行フレームにおける複数の上行多重接続エリアに関連付けられた１つの下行多重接続エリアを含み、或いは、基地局が送信した前記下行フレームは、それぞれが上行フレームにおける１つ或いは複数の上行多重接続エリアに関連付けられた少なくとも２つの下行多重接続エリアを含み、前記上行多重接続エリアと下行多重接続エリアは、時間分割様態あるいは周波数分割様態により区画され、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることであることを特徴とする請求項２５に記載のシステム。
【請求項２７】
基地局は、ある下行多重接続エリアの位置を変更する必要がある場合、下行多重接続エリアに対応な下行制御メッセージにおいて、位置変更の情報を繰り上げ送信し、当該位置変更の情報は、下行多重接続エリアのフレームにおける新たな位置、及び発生したフレームを含み、
端末は、基地局と通常な通信を行い、下行多重接続エリアの下行制御メッセージに指示された、以降のある１つのフレームにおける当該下行多重接続エリアの位置変更の情報を受信した後、指示に従い、新たな下行多重接続エリアが位置するフレームにおいて、同期信号の捜索を行い、同期を完了した後、通常な通信を続けることを特徴とする請求項２５に記載のシステム。
【請求項２８】
前記基地局は、各下行多重接続エリアの同期チャンネルにおいて、各下行多重接続技術の同期信号を送信し、或いは、下行フレームの共用の同期エリアにおいて、全ての下行多重接続技術の端末に同期信号を送信し、各下行多重接続技術の同期信号は１つの下行多重接続エリアに対応することを特徴とする請求項２５に記載のシステム。
【請求項２９】
前記基地局により下行多重接続エリア毎の上行制御メッセージに含まれた初期アクセスエリアの割当情報において、各上行多重接続エリアは、１つの初期アクセスエリアをそれぞれに有し、或いは、初期アクセスエリアは上行フレームにおける共用エリアに位置し、多種の上行多重接続技術を利用する端末は、同じの初期アクセスエリアを使用してアクセスを行うことができることを特徴とする請求項２５に記載のシステム。
【請求項３０】
前記基地局が送信した下行フレームにおける下行多重接続エリアが支持する下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、受信された上行フレームにおける上行多重接続エリアが支持する上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含むことを特徴とする請求項２５に記載のシステム。
【発明の詳細な説明】
【技術分野】
【０００１】
本発明は、無線通信分野に関し、特に、無線通信分野において多種の多重接続アクセス技術を同時に支持可能なシステム、方法及びそのフレーム構造に関する。
【背景技術】
【０００２】
無線通信システムにおいて、多種の多重接続技術、例えば符号分割多重接続（ＣＤＭＡ）や、周波数分割多重接続（ＦＤＭＡ）、時間分割多重接続（ＴＤＭＡ）等が存在する。無線通信技術の発展に従い、空間分割多重接続（ＳＤＭＡ）と直交周波数分割多重接続（ＯＦＤＭＡ）等を含む新たな多重接続技術が次々と開発されている。
【０００３】
これらの多重接続技術にはそれぞれの長所があり、ＦＤＭＡ技術では、システムの全ての帯域幅を、重なっていない幾つのサブ周波数帯に分割し、サブ周波数帯毎をユーザ毎に割り当て、ＴＤＭＡ技術では、チャンネル毎を幾つのタイムスロットに分割し、タイムスロット毎をユーザ毎に割り当て、ＣＤＭＡ技術では、優れた自己相関及び相互相関特性を有する１つのシュードランダムコード（pseudo-random sequence）をユーザ毎に割り当て、そして、複数のユーザが同じの帯域幅に信号を同時に送信することができる。ＴＤＭＡとＣＤＭＡでは、一般的には、それらの帯域をＦＤＭＡによって小さい周波数帯に分割してから、時間分割或いは符号分割を行う。ＳＤＭＡでは、空間の非相関性を利用して多重接続能力を取得する。
【０００４】
これらの従来の多重接続アクセス技術に対し、基地局と端末は単キャリア周波数或いは狭い帯域幅において信号の送信を行うため、比較的には、レート（rate）の低い音声サービスに適用する。高速データサービスに対し、単キャリアウエ―ブシステム或いは狭い帯域システムには、共に深刻な符号間干渉があるため、受信機のイコライザに対する要求が高い。従来の多キャリアウエ―ブが支持される多重接続アクセス技術に対し、受信機側にフィルターグループを利用して信号分離を行う必要がある。このような多重接続技術の実現は簡単であるが、周波数スペクトルの利用率が低いという欠点がある。
【０００５】
一方、高速データサービスを支持可能なＯＦＤＭＡ技術では、チャンネル帯域幅を、異なるサブチャンネルに分割し、複数のユーザが異なる帯域幅に信号を同時に送信することができる。ＯＦＤＭＡシステムでは、高速データの直/並変換（serial-to-parallel convertion）によって、信号間干渉を効率的に軽減することができ、受信機の複雑性を軽減することができる。また、ＯＦＤＭＡシステムでは、サブキャリアウエ―ブの間における直交性を利用し、サブチャンネルの周波数スペクトルが互いに重なることが可能になり、周波数スペクトルリソースを最大限まで利用する。しかし、単キャリアウエ―ブに比較すると、ＯＦＤＭＡシステムでは、高いピーク対平均比値（peak to average power ratio）がある。
【０００６】
無線通信技術の発展、特に多重接続の発展に従い、無線端末の種類及び支持できるサービスタイプも大きく発展している。各種類の携帯端末以外に、固定端末、及びノートパソコンにおけるアプリケーションも重要な一部である。基本的に、携帯端末では、体積とコストから、小さい電力消耗が必要となるため、例えばＳＣ−ＦＤＭＡ（単キャリアウエ―ブ周波数分割多重化）等の従来の単キャリアウエ―ブの多重接続技術を利用することができ、レートの低い音声サービスを支持する。一方、固定端末とノードパソコンでは、電源による電力供給或いは他の安定した電力供給デバイスを利用することができるため、ユーザに対してレートの高いデータサービスを提供することができるので、ＯＦＤＭＡの多重接続技術を利用することが可能になる。
【０００７】
従来の無線通信システムにおいて、基地局は、１つの種類の多重接続技術の端末のみを支持することができる。例えばＣＤＭＡ通信システムにおいて、基地局は、上行と下行と共にＣＤＭＡ多重接続技術を利用する端末のみを支持することができる。ＩＥＥＥ（電気電子学会：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅシステムにおいて、基地局は、上行と下行と共にＯＦＤＭＡ多重接続技術を利用する端末のみを支持することができる。
【０００８】
しかしながら、無線通信技術の発展に従い、各種の異なる多重接続技術に対し、同一のキャリア周波数に異なる多重接続技術を支持可能な通信システムは必要となっている。
【発明の概要】
【０００９】
本発明が解決しようとする技術課題は、多種の多重接続技術が支持されるシステム、方法及びそのフレーム構造を提供し、同一のキャリア周波数内に多種の多重接続技術を支持することができる。
【００１０】
前記の技術課題を解決するために、本発明は、多種の多重接続技術が支持されるシステムにおける端末のアクセス方法を提供し、
（ａ）基地局が下行フレームを送信し、下行フレームにおいて少なくとも１つの下行多重接続エリアを含み、下行多重接続エリア毎に１種の下行多重接続技術が支持され、各下行多重接続エリアが１つあるいは複数の上行多重接続エリアに関連付けられ、下行多重接続エリア毎の上行制御メッセージには、関連付けられた上行多重接続エリアが支持する上行多重接続技術情報、及び対応な初期アクセスエリアの割当情報を含み、上行フレームは、異なる上行多重接続技術が支持される少なくとも２つの上行多重接続エリアに区画され、
（ｂ）端末は、下行チャンネルをスキャンし、自身が支持する下行多重接続技術の同期信号を捜索し、基地局と同期を建立した後、対応な下行多重接続エリアから上行制御メッセージを獲得し、それにおける情報に基づき、自身が支持される上行多重接続技術があると判断し、当該上行制御メッセージに指示された初期アクセスエリア情報に基づき、初期ネットワークアクセスを行い、そうでなければ、チャンネルの再スキャンを行う。
【００１１】
さらに、前記上行多重接続エリアと下行多重接続エリアは、時間分割様態あるいは周波数分割様態により区画され、前記下行多重接続エリア毎の上行制御メッセージには、関連付けられた上行多重接続エリアの位置及び/或いはサイズ情報をさらに含み、前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることである。
【００１２】
さらに、基地局が送信した前記下行フレームは、上行フレームにおける複数の上行多重接続エリアに関連付けられた１つの下行多重接続エリアを含み、
或いは、基地局が送信した前記下行フレームは、それぞれが上行フレームにおける１つ或いは複数の上行多重接続エリアに関連付けられた少なくとも２つの下行多重接続エリアを含む。
【００１３】
さらに、前記上行多重接続エリアに対応な初期アクセスエリアの割当情報は、初期アクセスエリアの位置、サイズ、支持される上行多重接続技術のタイプのうちの１つ或いは任意の組合を含む。
【００１４】
さらに、異なる上行多重接続技術を利用する端末は、異なる初期アクセスエリアを使用してアクセスを行い、各初期アクセスエリアは、対応な上行多重接続エリアに位置し、
或いは、初期アクセスエリアは、上行フレームにおける共用エリアに位置し、多種の上行多重接続技術を利用する端末は、同じの初期アクセスエリアを使用してアクセスを行うことができる。
【００１５】
さらに、前記下行フレームが複数の下行多重接続エリアを含む場合、各下行多重接続エリアの相対位置も変更可能であり、
ある下行多重接続エリアの位置を変更する必要がある場合、基地局は、下行多重接続エリアに対応な下行制御メッセージにおいて、位置変更の情報を繰り上げ送信し、当該位置変更の情報は、下行多重接続エリアのフレームにおける新たな位置、及び発生されたフレームを含み、
端末は、基地局と通常な通信を行い、端末が下行多重接続エリアの下行制御メッセージに指示された、以降のある１つのフレームにおける当該下行多重接続エリアの位置変更の情報を受信した後、指示に従い、新たな下行多重接続エリアが位置するフレームにおいて、同期信号の捜索を行い、同期を完了した後、通常な通信を続ける。
【００１６】
さらに、前記基地局は、各下行多重接続エリアの同期チャンネルにおいて、各下行多重接続技術の同期信号を送信し、
或いは、前記基地局は、下行フレームの共用の同期エリアにおいて、全ての下行多重接続技術の端末に同期信号を送信し、各下行多重接続技術の同期信号は１つの下行多重接続エリアに対応する。
【００１７】
さらに、前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含む。
【００１８】
本発明はさらに、多種の多重接続技術が支持されるシステムが下行伝送を実現する方法を提供し、
（ａ）基地局が下行フレームを送信し、下行フレームにおいて少なくとも１つの下行多重接続エリアを含み、下行多重接続エリア毎に１種の下行多重接続技術の送信が支持され、各下行多重接続エリアが１つあるいは複数の上行多重接続エリアに関連付けられ、下行多重接続エリア毎の上行制御メッセージには、関連付けられた上行多重接続エリアの情報を含み、下行多重接続エリア毎の下行制御メッセージには、当該エリアのリソース割当情報を含み、上行フレームは、異なる上行多重接続技術が支持される少なくとも２つの上行多重接続エリアに区画され、
（ｂ）端末は、初期アクセスを完了した後、支持する下行多重接続技術に対応な下行多重接続エリアから下行制御メッセージを獲得し、それにおけるリソース割当情報に基づき、基地局により下行送信されたデータを受信するステップを含む。
【００１９】
さらに、基地局が送信した前記下行フレームは、上行フレームにおける複数の上行多重接続エリアに関連付けられた１つの下行多重接続エリアを含み、或いは、基地局が送信した前記下行フレームは、それぞれが上行フレームにおける１つ或いは複数の上行多重接続エリアに関連付けられた少なくとも２つの下行多重接続エリアを含み、前記上行多重接続エリアと下行多重接続エリアは、時間分割様態あるいは周波数分割様態により区画され、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることである。
【００２０】
さらに、前記下行多重接続エリア毎の下行制御メッセージには、当該エリアのリソース割当情報に加え、下行多重接続エリアの位置情報及び/或いは下行発信パラメーターをさらに含み、前記リソース割当情報は、下行リソースブロックの位置、サイズ、タイプ、宛先（object）アドレス、発信パラメーターのうちの１種或いは任意の組合をさらに含み、当該宛先アドレスは、当該下行リソースブロックにデータを受信可能な端末を指示することに用いられる。
【００２１】
さらに、前記下行フレームが複数の下行多重接続エリアを含む場合、各下行多重接続エリアの相対位置が変更可能であり、ある下行多重接続エリアの位置を変更する必要がある場合、基地局は、下行多重接続エリアに対応な下行制御メッセージにおいて、位置変更の情報を繰り上げ送信し、当該位置変更の情報は、下行多重接続エリアのフレームにおける新たな位置、及び発生したフレームを含み、端末は、下行多重接続エリアの下行制御メッセージに指示された、以降のある１つのフレームにおける当該下行多重接続エリアの位置変更の情報を受信した後、指示に従い、新たな下行多重接続エリアが位置するフレームにおいて、同期信号の捜索を行い、同期を完了した後、通常な通信を続ける。
【００２２】
さらに、前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含む。
【００２３】
本発明はさらに、多種の多重接続技術が支持されるシステムが上行伝送を実現する方法を提供し、
（ａ）基地局が下行フレームを送信し、下行フレームにおいて少なくとも１つの下行多重接続エリアを含み、下行多重接続エリア毎に１種の下行多重接続技術の送信が支持され、各下行多重接続エリアが１つあるいは複数の上行多重接続エリアに関連付けられ、下行多重接続エリア毎の上行制御メッセージには、関連付けられた上行多重接続エリアのリソース割当情報を含み、上行フレームは、異なる上行多重接続技術が支持される少なくとも２つの上行多重接続エリアに区画され、
（ｂ）端末は、初期アクセスを完了した後、支持する下行多重接続技術に対応な下行多重接続エリアから上行制御メッセージを獲得し、それにおけるリソース割当情報に基づき、利用可能なリソースブロックにおいて、自身の上行多重接続技術を使用して上行送信を行うステップを含む。
【００２４】
さらに、基地局が送信した前記下行フレームは、上行フレームにおける複数の上行多重接続エリアに関連付けられた１つの下行多重接続エリアを含み、或いは、基地局が送信した前記下行フレームは、それぞれが上行フレームにおける１つ或いは複数の上行多重接続エリアに関連付けられた少なくとも２つの下行多重接続エリアを含み、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることである。
【００２５】
さらに、前記上行制御メッセージには、関連付けられた上行多重接続エリアのリソース割当情報に加え、関連付けられた上行多重接続エリアの、支持する上行多重接続技術情報、位置、サイズのうちの１種或いは任意の組合をさらに含み、ここで、リソース割当情報は、上行リソースブロックの位置、サイズ、タイプ、宛先アドレス、発信パラメーターのうちの１種或いは任意の組合をさらに含み、当該宛先アドレスは、当該上行リソースブロックに上行送信可能な端末を指示することに用いられる。
【００２６】
さらに、前記上行フレームにおける複数の上行多重接続エリアの相対位置が変更可能であり、
ある上行多重接続エリアの位置を変更する必要がある場合、基地局は、下行多重接続エリアに対応な上行制御メッセージにおいて、上行多重接続エリアの位置変更の情報を送信し、カレントフレームにおける上行多重接続エリアの新たな位置を指示し、
端末は、下行多重接続エリアの上行制御メッセージに指示されたカレントフレームにおける上行多重接続エリアの新たな位置情報を受信した後、新たな上行多重接続エリアに上行信号の送信を行う。
【００２７】
さらに、前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含む。
【００２８】
本発明はさらに、多種の多重接続技術が支持されるシステムフレーム構造を提供し、上行フレームと下行フレームを含み、前記下行フレームにおいて少なくとも１つの下行多重接続エリアを含み、下行多重接続エリア毎に１種の下行多重接続技術が支持され、前記上行フレームにおいて、異なる上行多重接続技術が支持される少なくとも２つの上行多重接続エリアを含み、各下行多重接続エリアは、１つあるいは複数の上行多重接続エリアに関連付けられることを特徴とする。
【００２９】
さらに、前記下行フレームは、上行フレームにおける複数の上行多重接続エリアに関連付けられた１つの下行多重接続エリアを含み、或いは、前記下行フレームは、それぞれが上行フレームにおける１つ或いは複数の上行多重接続エリアに関連付けられた少なくとも２つの下行多重接続エリアを含み、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることであり、下行多重接続エリア毎の上行制御メッセージには、関連付けられた上行多重接続エリアの情報を含む。
【００３０】
さらに、前記上行フレームには初期アクセスエリアをさらに含み、初期接続エリアは、対応な１つの上行多重接続エリアに位置し、或いは、初期接続エリアは、上行フレームにおける共用エリアに位置する。
【００３１】
さらに、前記上行制御メッセージにおける関連付けられた上行多重接続エリアの情報は、対応な初期アクセスエリアの割当情報、支持する上行多重接続技術情報、関連付けられた上行多重接続エリア位置、サイズ、発信パラメーター、リソース割当情報のうちの１種或いは任意の組合を含み、ここで、リソース割当情報は、上行リソースブロックの位置、サイズ、タイプ、宛先アドレス、発信パラメーターのうちの１種或いは任意の組合を含み、当該宛先アドレスは、当該上行リソースブロックに上行送信可能な端末を指示することに用いられる。
【００３２】
さらに、前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含む。
【００３３】
さらに、各下行多重接続エリアの同期チャンネルにおいて、対応な下行多重接続技術の同期信号を含み、或いは、下行フレームの共用の同期チャンネルエリアにおいて、全ての下行多重接続技術の同期信号を含み、各下行多重接続技術の同期信号は１つの下行多重接続エリアに対応する。
【００３４】
本発明はさらに、多種の多重接続技術が支持されるシステムを提供し、基地局と端末とを含み、前記基地局は、下行フレームを送信し、下行フレームにおいて少なくとも１つの下行多重接続エリアを含み、下行多重接続エリア毎に１種の下行多重接続技術の送信が支持され、各下行多重接続エリアが１つあるいは複数の上行多重接続エリアに関連付けられ、下行多重接続エリア毎の上行制御メッセージには、関連付けられた上行多重接続エリアが支持する上行多重接続技術情報と、対応な初期アクセスエリアの割当情報と、当該下行多重接続エリアに関連付けられた上行多重接続エリアのリソース割当情報とを含み、下行多重接続エリア毎の下行制御メッセージには、当該下行多重接続エリアのリソース割当情報を含み、上行フレームは、異なる上行多重接続技術が支持される少なくとも２つの上行多重接続エリアに区画され、
前記端末は、下行チャンネルをスキャンし、自身が支持する下行多重接続技術の同期信号を捜索し、基地局と同期を建立した後、対応な下行多重接続エリアから上行制御メッセージを獲得し、それにおける情報に基づき、システムが自身の上行多重接続技術を支持すると判断した場合、当該上行制御メッセージに指示された初期アクセスエリア情報に基づき、初期ネットワークアクセスを行ってから、支持する下行多重接続技術に対応の下行多重接続エリアから、下行制御メッセージと上行制御メッセージとを獲得し、それにおけるリソース割当情報に基づき、基地局が下行送信したデータを受信し、且つ、利用可能なリソースブロックにおいて、自身の上行多重接続技術を使用して上行送信を行う。
【００３５】
さらに、基地局が送信した前記下行フレームは、上行フレームにおける複数の上行多重接続エリアに関連付けられた１つの下行多重接続エリアを含み、或いは、基地局が送信した前記下行フレームは、それぞれが上行フレームにおける１つ或いは複数の上行多重接続エリアに関連付けられた少なくとも２つの下行多重接続エリアを含み、前記上行多重接続エリアと下行多重接続エリアは、時間分割様態あるいは周波数分割様態により区画され、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることである。
【００３６】
さらに、基地局は、ある下行多重接続エリアの位置を変更する必要がある場合、下行多重接続エリアに対応な下行制御メッセージにおいて、位置変更の情報を繰り上げ送信し、当該位置変更の情報は、下行多重接続エリアのフレームにおける新たな位置、及び発生したフレームを含み、
端末は、基地局と通常な通信を行い、下行多重接続エリアの下行制御メッセージに指示された、以降のある１つのフレームにおける当該下行多重接続エリアの位置変更の情報を受信した後、指示に従い、新たな下行多重接続エリアが位置するフレームにおいて、同期信号の捜索を行い、同期を完了した後、通常な通信を続ける。
【００３７】
さらに、前記基地局は、各下行多重接続エリアの同期チャンネルにおいて、各下行多重接続技術の同期信号を送信し、或いは、下行フレームの共用の同期エリアにおいて、全ての下行多重接続技術の端末に同期信号を送信し、各下行多重接続技術の同期信号は１つの下行多重接続エリアに対応する。
【００３８】
さらに、前記基地局により下行多重接続エリア毎の上行制御メッセージに含まれた初期アクセスエリアの割当情報において、各上行多重接続エリアは、１つの初期アクセスエリアをそれぞれに有し、或いは、初期アクセスエリアは上行フレームにおける共用エリアに位置し、多種の上行多重接続技術を利用する端末は、同じの初期アクセスエリアを使用してアクセスを行うことができる。
【００３９】
さらに、前記基地局が送信した下行フレームにおける下行多重接続エリアが支持する下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、受信された上行フレームにおける上行多重接続エリアが支持する上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含む。
【００４０】
本発明に係る方法によれば、同一の通信システムは、同一のフリークエンシーバンドに多種の多重接続技術を支持することができる。
【図面の簡単な説明】
【００４１】
【図１】図１は本発明の第１実施例のシステムを実現するフレーム構造の模式図である。
【図２】図２は第１実施例のシステムを利用した端末の初期ネットワークアクセスのフローチャートである。
【図３】図３は第１実施例のシステムを利用した端末の下行受信のフローチャートである。
【図４】図４は第１実施例のシステムを利用した端末の上行送信のフローチャートである。
【図５】図５は第２実施例のシステムを実現するフレーム構造の模式図である。
【図６】図６は第２実施例のシステムを利用した端末の初期ネットワークアクセスのフローチャートである。
【図７】図７は第２実施例のシステムを利用した端末の下行多重接続エリアの位置変更における同期プロセスのフローチャートである。
【図８】図８は第３実施例のシステムを実現するフレーム構造の模式図である。
【発明を実施するための形態】
【００４２】
本発明では、多種の多重接続技術が支持されるシステムは、基地局と端末とを含み、
基地局は、異なる多重接続技術が支持される１つ或いは複数の端末に、制御情報とデーターとを送信し、且つ、異なる多重接続技術が支持される端末により送信されたデータを受信する。具体的には、当該基地局は、下行フレームを送信し、下行フレームにおいて少なくとも１つの下行多重接続エリアを含み、下行多重接続エリア毎に１種の下行多重接続技術の送信が支持され、端末が送信した上行フレームにおいて、異なる上行多重接続技術が支持される少なくとも２つの上行多重接続エリアを含み、各下行多重接続エリアは、１つあるいは複数の上行多重接続エリアに関連付けられ、下行多重接続エリア毎の上行制御メッセージには、関連付けられた上行多重接続エリアに対応な初期アクセスエリアの割当情報を含む。
【００４３】
端末は、基地局が送信した制御メッセージを受信し、当該制御メッセージに基づき、基地局が送信したデータを受信し、且つ、当該基地局が自身の多重接続技術を支持する場合、当該制御メッセージに基づき、記前基地局にデータを送信する。具体的には、端末は、それぞれの下行チャンネルをスキャンし、自身が支持する下行多重接続技術の同期信号を捜索し、基地局と同期を建立した後、対応な下行多重接続エリアから上行制御メッセージを獲得し、基地局が自身の上行多重接続技術を支持する場合、当該上行制御メッセージに指示された初期アクセスエリア情報に基づき、それぞれが支持する初期アクセス技術を使用して、初期ネットワークアクセスを行う。
【００４４】
以下は、図面と具体的な実施様態を合わせて、本発明についてさらに詳しく説明するが、本発明を限定するものではない。
【００４５】
（第１実施例）
同一のキャリア周波数内に、基地局は、１種の下行多重接続技術と１種以上の上行多重接続技術とを支持する。本実施例では、基地局は、下行にＯＦＤＭＡ多重接続技術を支持し、上行にＯＦＤＭＡ多重接続技術とＳＣ-ＦＤＭＡ多重接続技術を支持する。たとえば、端末＃１は、下行にＯＦＤＭＡ多重接続技術を支持し、上行にＯＦＤＭＡ多重接続技術を支持し、端末＃２は、下行にＯＦＤＭＡ多重接続技術を支持し、上行にＳＣ−ＦＤＭＡ多重接続技術を支持し、他の端末は、下行にＯＦＤＭＡ多重接続技術を支持し、上行にＯＦＤＭＡ多重接続技術或いはＳＣ−ＦＤＭＡ多重接続技術を支持する。
【００４６】
本実施例を実現するフレーム構造は図１に示す。当該フレーム構造は、下行フレームと上行フレームとを含む。下行フレームは、１つの下行多重接続エリア（ＤＬ  Ｚｏｎｅ）のみを含み、当該エリアは、１種の下行多重接続技術、すなわち、下行ＯＦＤＭＡ技術のみを支持する。上行フレームは、時間分割或いは周波数分割の様態により、２つの上行多重接続エリアに分割され、異なる上行多重接続技術をそれぞれに支持する。本実施例において、上行多重接続エリア＃１（ＵＬ  Ｚｏｎｅ＃１）は上行ＯＦＤＭＡ多重接続技術、上行多重接続エリア＃２（ＵＬ  Ｚｏｎｅ＃２）は上行ＳＣ−ＦＤＭＡ多重接続技術をそれぞれに支持する。当該下行多重接続エリア＃１は、２つの上行多重接続エリア＃１と＃２とに関連付けられた。
【００４７】
図１に示すように、基地局は、下行フレームの先頭にプリアンブル（ｐｒｅａｍｂｌｅ）を送信し、下行多重接続エリアにおいて、上行制御メッセージと下行制御メッセージとを端末に送信する。ここで、下行制御メッセージは、ＦＣＨ（フレーム制御ヘッド、Ｆｒａｍｅ  Ｃｏｎｔｒｏｌ  Ｈｅａｄ）とＤＬ−ＭＡＰ（ダウンリンクマップ）メッセージとを含み、また、ＤＣＤ（下行チャンネル説明）メッセージを含んでもよく、上行制御メッセージは、ＵＬ−ＭＡＰメッセージを含み、また、ＵＣＤ（上行チャンネル説明）メッセージ、或いは、他のブロードキャスト制御メッセージを含んでもよく（図面にはＤＣＤとＵＣＤを示していない）。
【００４８】
基地局は、下行制御メッセージにおいて、下行発信に関するパラメーターと下行多重接続エリアのリソース割当情報とを含み、また、下行フレームにおける下行多重接続エリアの位置情報或いは更新情報を含んでもよい。ここで、下行発信に関するパラメーターは、基地局の標識（identifier）と、基地局の基本能力パラメーターと、下行発信に利用される帯域、ポイント数、フレーム長、タイマーの定義などの内容を含み（上行発信に関するパラメーターも前記パラメーターを含む）、下行多重接続エリアのリソース割当情報は、下行の全てのバースト（Burst）の位置、サイズ、タイプ、宛先アドレス（当該下行リソースブロックにデータを受信できる端末を指示する、たとえば、宛先端末の標識である）、発信パラメーター（たとえば、送信に利用される変調コーディング方法である）のうちのパラメーターの１つ或いは任意の組合を含む。図１に示すように、下行制御メッセージＤＬ−ＭＡＰには、バースト＃１からバースト＃９までの全ての割当情報を含み、バースト＃１は端末＃１（ＭＳ＃１）に送信されるものであり、バースト＃２は端末＃２（ＭＳ＃２）に送信されるものであり、他のバーストも、端末＃１と端末＃２とを含む当該システムの端末に指示されるものであり、前記バーストはっもっとあってもよい。
【００４９】
基地局は、上行制御メッセージにおいて、基地局が支持する全ての上行多重接続技術の情報（たとえば、上行多重接続技術のタイプ）と、上行発信に関するパラメーター（たとえば、上行発信に利用される帯域、ポイント数などのパラメーター）を含み、また、上行多重接続エリア毎の位置情報とリソース割当情報とを含む。フレームとフレームの間には上行多重接続エリア毎の相対位置とサイズは変更可能であるので、当該位置情報が更新された後に、端末に通知する必要がある。前記上行多重接続エリアの位置情報は、上行多重接続エリア（たとえば、図１におけるＵＬ  Ｚｏｎｅ＃１とＵＬ  Ｚｏｎｅ＃２）毎の上行フレームにおける位置及び/或いは上行多重接続エリアのサイズなどを含む。前記上行多重接続エリアのリソース割当情報は、各上行多重接続エリアにおけるバースト（Ｂｕｒｓｔ）或いはタイムスロット（ｓｌｏｔ）の割当情報を含み、バースト或いはタイムスロット毎の位置や、当該上行バースト或いはタイムスロットの宛先アドレス（当該バースト/タイムスロットに上行送信できる端末を指示する）、バースト或いはタイムスロットのサイズやタイプ（当該バースト或いはタイムスロットにどのデータを搬送するかを指示する）、発信に利用された変調コーディング方法などのパラメーターの１つ或いは任意の組合を含む。図１に示すように、上行制御メッセージＵＬ−ＭＡＰには、上行多重接続エリア＃１における上行バースト＃１の位置や宛先アドレスなどのパラメーターが指示され、上行送信のために端末＃１に割当られ、及び、上行多重接続エリア＃２における上行タイムスロット＃１の位置情報及び宛先アドレスなどのパラメーターが指示され、上行送信のために端末＃２に割当られる。
【００５０】
基地局は、上行制御メッセージにおいて、初期アクセスエリアの割当情報をさらに搬送し、前記初期アクセスエリアは少なくとも１つ存在し、初期アクセスエリアの割当情報には、各上行多重接続エリアにおける上行初期アクセスエリア（たとえば、Ｉｎｉｔｉａｌ  ｒａｎｇｉｎｇ  ｒｅｇｉｏｎ及びｒａｎｄｏｍ  ａｃｃｅｓｓ  ｓｌｏｔ  ）の割当情報を含み、当該割当情報は、当該上行初期アクセスエリアの、上行フレーム或いは上行多重接続エリア毎における位置、サイズ、支持する上行多重接続技術のタイプ標識、送信に利用可能な変調コーディング方法などのパラメーターの１つ或いは任意の組合を含む。上行制御メッセージにおいて、各種の上行多重接続技術毎の端末に対し、上行多重接続エリアに１つの初期アクセスエリアをそれぞれに割当て、図１に示すように、上行多重接続エリア＃１と上行多重接続エリア＃２の初期アクセスエリアＩｎｉｔｉａｌ  ｒａｎｇｉｎｇ  ｒｅｇｉｏｎ及びｒａｎｄｏｍ  ａｃｃｅｓｓ  ｓｌｏｔのそれぞれは、端末＃１と端末＃２が異なる初期ネットワークアクセス技術を使用して初期ネットワークアクセスを行うために利用される。しかし、端末の初期アクセスエリアが同じでもよく、端末＃１と端末＃２が同じ初期ネットワークアクセス様態を使用して初期ネットワークアクセスを行う場合、基地局は、上行制御メッセージにおいて、同一の上行多重接続技術を支持する全ての端末に対し、上行フレームの共用エリアに１つの初期アクセスエリアを割り当てることができる。
【００５１】
端末の初期ネットワークアクセスプロセスは図２に示すように、以下のステップを含む。
【００５２】
ステップ２１０：端末は、下行チャンネルをスキャンし、自身が支持する下行多重接続技術の同期信号を捜索する。
【００５３】
本実施例において、システム下行にはＯＦＤＭＡ多重接続技術を利用し、端末＃１と端末＃２は、図１に示す下行フレームプリアンブルを捜索する。基地局がｎ種の異なる下行アクセス様態を支持する場合、下行フレームには、端末の下行ネットワークアクセスのためのｎ個の同期信号を有する。システムの下行に利用されたのは他の多重接続技術であると、端末は、対応な同期信号を捜索し、当該同期信号は、プリアンブル信号であってもよく、同期チャンネル信号、或いは他の同期信号であってもよい。
【００５４】
ステップ２２０：端末は、基地局と同期を建立。
【００５５】
ステップ２３０：端末は、基地局と同期を建立した後、基地局が送信した下行フレームを受信し、当該下行フレームから上行制御メッセージを獲得し、上行制御メッセージから獲得された、基地局の支持する上行多重接続技術の標識に基づき、自身の上行多重接続技術が基地局に支持されるかどうかを判断し、Ｙｅｓの場合はステップ２４０を実行し、そうでなければ終了し、或いはステップ２１０に戻る。
【００５６】
本実施例において、端末＃１に対し、基地局が上行ＯＦＤＭＡを支持するかどうかを判断することが必要であり、端末＃２に対し、基地局が上行ＳＣ−ＦＤＭＡを支持するかどうかを判断することが必要である。端末は、獲得された基地局の支持する上行多重接続技術の標識が、自身の支持する上行多重接続技術の標識にマッチングできるかどうかに基づき、自身の上行多重接続技術が当該基地局に支持されるかどうかを判断し、端末は、自身の上行多重接続技術が基地局に支持されていないと判断する場合、下行フリークエンシーバンド内に再スキャンを行い、新たな利用可能な下行チャンネルを捜索する。
【００５７】
ステップ２４０：端末は、基地局の下行フレームから、上行制御メッセージを獲得し、上行制御メッセージから、利用可能な上行初期アクセスエリアの割当情報、及び上行発信パラメーター情報を獲得する。
【００５８】
ステップ２５０：端末は、基地局に指示された上行初期アクセスエリア内に、ネットワークアクセスメッセージを送信し、初期ネットワークアクセスを行う。
【００５９】
端末＃１と端末＃２は、受信された基地局の上行制御メッセージにおける初期アクセスエリアの情報に基づき、初期アクセスエリア＃１と初期アクセスエリア＃２において、異なる初期化技術をそれぞれ使用し、初期ネットワークアクセスを行う。
【００６０】
端末がネットワークにアクセスした後、基地局の下行データを受信するプロセスは図３に示すように、以下のステップを含む。
【００６１】
ステップ３１０：端末は、基地局が送信した下行フレームを受信し、当該下行フレームから下行制御メッセージを獲得して、下行制御メッセージから、下行多重接続エリアのリソース割当情報を獲得する。
【００６２】
端末＃１と端末＃２は、基地局の下行制御メッセージを受信し、ここではＤＬ−ＭＡＰメッセージであり、当該メッセージから、下行多重接続エリアのリソース割当情報を獲得する。
【００６３】
ステップ３２０：端末は、獲得されたリソース割当情報に基づき、基地局が下行送信したデータを受信する。
【００６４】
端末＃１と端末＃２は、下行多重接続エリアのリソース割当情報に基づき、基地局から本端末のために送信されたデータの位置及び係る情報（たとえば変調コーディング様態など）を獲得し、図１に示すように、基地局下行制御メッセージＤＬ−ＭＡＰにおいて、下行バースト＃１にデータを端末＃１に送信することが指示され、下行バースト＃２に基地局がデータを端末＃２に送信することが指示される場合、端末＃１と端末＃２は、バーストの位置情報及びほかのパラメーターに基づき、バースト＃１とバースト＃２におけるデーターをそれぞれに受信する。
【００６５】
端末は基地局と通常な通信を行う時に、ある下行多重接続エリアの下行フレームにおける位置を変更する必要がある場合、基地局は、下行多重接続エリアの下行制御メッセージにおいて、位置変更の情報を繰り上げ送信すべきであり、該当位置変更の情報は、下行多重接続エリアの下行フレームにおける新たな位置、及び変化発生のフレームを含む。端末は、下行制御メッセージから、新たな下行エリアの位置情報を受信すると、新たなフレームに同期を行ってから、基地局と通常な通信を続ける。
【００６６】
端末がネットワークにアクセスした後、上行データの送信プロセスは図４に示すように、以下のステップを含む。
【００６７】
ステップ４１０：端末は、基地局が送信した下行フレームにおける上行制御メッセージから、各上行多重接続エリアのリソース割当情報を獲得する。
【００６８】
当該上行多重接続エリアに使用される上行多重接続技術は、当該端末に支持されるものである。
【００６９】
ステップ４２０：端末は、上行多重接続エリアのリソース割当情報に基づき、上行多重接続エリアの利用可能な上行バーストにおいて、自身の上行多重接続技術を使用してデータを送信する。
【００７０】
端末＃１と端末＃２は、各上行多重接続エリアのリソース割当情報に基づ、自身に割当てられた上行バーストの位置及び係る情報を獲得し、たとえば、図１に示すように、基地局は、上行制御メッセージＵＬ−ＭＡＰにおいて、上行多重接続エリア＃１におけるバースト＃１を端末＃１に割当て、基地局は、上行制御メッセージＵＬ−ＭＡＰにおいて、上行多重接続エリア＃２における上行タイムスロット＃１を端末＃２に割当てる。端末＃１と端末＃２のそれぞれは、当該情報の指示に基づき、上行バースト＃１と上行タイムスロット＃１において、それぞれが支持する上行多重接続技術を使用して上行送信を行う。
【００７１】
（第２実施例）
同一のキャリア周波数内に、基地局は、２種の下行多重接続技術と２種の上行多重接続技術とを支持し、本実施例では、具体的には、基地局は、下行ＯＦＤＭＡ多重接続技術と下行ＳＣ−ＦＤＭＡ多重接続技術と、上行ＯＦＤＭＡ多重接続技術と上行ＳＣ-ＦＤＭＡ多重接続技術とを支持する。システムにおいて、端末＃１と端末＃２とを含み、端末＃１は、下行ＯＦＤＭＡ多重接続技術と上行ＯＦＤＭＡ多重接続技術を支持し、端末＃２は、下行ＳＣ−ＦＤＭＡ多重接続技術と上行ＳＣ−ＦＤＭＡ多重接続技術を支持する。
【００７２】
本実施例を実現するフレーム構造は図５に示すように、当該フレーム構造は、下行フレームと上行フレームとを含む。下行フレームと上行フレームとは、時間分割或いは周波数分割の様態により、２つの下行多重接続エリアと２つの上行多重接続エリアに分割され、各下行多重接続エリアは１種の下行多重接続技術を支持し、各上行多重接続エリアは１種の上行多重接続技術を支持する。各下行多重接続エリアの下行フレームにおける相対位置は変更可能であり、各上行多重接続エリアの上行フレームにおける相対位置も変更可能である。下行多重接続エリア＃１と下行多重接続エリア＃２は、ＯＦＤＭＡ多重接続技術とＳＣ−ＦＤＭＡ多重接続技術をそれぞれに支持し、上行多重接続エリア＃１と上行多重接続エリア＃２は、ＯＦＤＭＡ多重接続技術とＳＣ−ＦＤＭＡ多重接続技術をそれぞれに支持する。２つの下行多重接続エリアは、２つの上行多重接続エリアに関連付けられ、ここで、下行多重接続エリア＃１は上行多重接続エリア＃１に関連付けられ、下行多重接続エリア＃２は上行多重接続エリア＃２に関連付けられた。下行多重接続エリアに関連付けられた上行多重接続エリアとは、当該下行多重接続エリアに対応な下行多重接続技術と、関連付けられた上行多重接続エリアに対応な上行多重接続技術とを同時に支持する端末があることである。
【００７３】
基地局は、下行多重接続エリア＃１と下行多重接続エリア＃２の先頭に、それぞれにプリアンブル＃１と同期タイムスロット＃１（Ｓｙｎｃ  Ｓｌｏｔ１）を送信し、それぞれが、下行ＯＦＤＭＡ多重接続技術と下行ＳＣ−ＦＤＭＡ多重接続技術が支持される端末の初期ネットワーク捜索と同期に利用される。
【００７４】
基地局は、下行多重接続エリア毎に、それぞれの下行多重接続エリアの制御メッセージをそれぞれ送信し、当該制御メッセージは下行制御メッセージと上行制御メッセージとを含む。当該下行制御メッセージと上行制御メッセージのそれぞれは、当該下行多重接続エリア及びそれに対応する上行多重接続エリアの制御に利用される。
【００７５】
下行多重接続エリア毎に送信された上行制御メッセージにおいて、上行多重接続技術の情報、上行発信パラメーター、位置情報、リソース割当情報、初期アクセスエリアの割当情報を含む。ここで、前記上行多重接続エリアの位置情報は、上行多重接続エリア毎の上行フレームにおける位置及び/或いはサイズを含み、前記上行多重接続エリア毎のリソース割当情報は、各多重接続エリアにおける上行バースト或いはタイムスロットの位置情報、サイズ、タイプ、当該上行バースト或いはタイムスロットの宛先アドレス、及び送信に利用された変調コーディング方法などのパラメーターの１つ或いは任意の組合を含んでもよく、前記上行バースト或いはタイムスロットの宛先アドレスは、当該バーストまたはタイムスロットに上行送信できる端末を指示することに利用される。上行制御メッセージにおいて、初期アクセスエリアの割当情報も含み、当該上行多重接続技術を支持する端末が初期ネットワークアクセスを行うために利用される。
【００７６】
下行多重接続エリア毎に送信された下行制御メッセージにおいて、当該下行多重接続エリアの発信パラメーターと、当該下行多重接続エリアのリソース割当情報とを含む。ある下行多重接続エリアの下行フレームにおける位置を変更する必要がある場合、基地局は、下行多重接続エリアの下行制御メッセージにおいて、位置変更の情報を繰り上げ送信すべきであり、当該位置変更の情報は、下行多重接続エリアの下行フレームにおける新たな位置、及び変化発生のフレームを含む。
【００７７】
図５に示すように、ＯＦＤＭＡ多重接続技術が支持される下行多重接続エリア＃１において、下行制御メッセージＤＬ−ＭＡＰと上行制御メッセージＵＬ−ＭＡＰとにより、下行多重接続エリア＃１とそれに対応する上行多重接続エリア＃１の位置情報とリソース割当情報をそれぞれに送信する。下行制御メッセージＤＬ−ＭＡＰにおける下行多重接続エリアのリソース割当情報は、下行多重接続エリアにおける全てのバーストの位置、バーストの宛先アドレス、バーストのサイズ、送信に利用された変調コーディング様態などのうちの１つ或いは任意の組合を含む。図５に示すように、下行制御メッセージは、バースト＃１を端末＃１に割当ることを指示する。上行制御メッセージＵＬ−ＭＡＰにおける上行多重接続エリアの位置情報は、当該上行多重接続エリアの上行フレームにおける位置及び/或いはサイズを指示し、上行多重接続エリアのリソース割当情報は、下行多重接続エリアに対応する上行多重接続エリアにおける全てのバーストの位置、どの端末に割当てられ、バーストのサイズ、利用された変調コーディング様態などのうちの１つ或いは任意の組合を含む。図５に示すように、上行制御メッセージは、端末＃１が上行送信を行うために上行バースト＃１を支持する。上行制御メッセージＵＬ−ＭＡＰにおいて、初期アクセスエリア（Ｉｎｉｔｉａｌ  Ｒａｎｇｉｎｇ  ｒｅｇｉｏｎ及びＲａｎｄｏｍ  Aｃｃｅｓｓ  ｓｌｏｔ）の割当情報を含んでもよい。また、上行多重接続エリア＃１の位置及び/或いはサイズを変更する必要がある場合、基地局は、下行多重接続エリア＃１の上行制御メッセージにおいて、位置変更の情報を送信する。
【００７８】
図５に示すように、ＳＣ−ＦＤＭＡ多重接続技術が支持される下行多重接続エリア＃２において、下行制御と上行制御タイムスロットにより、下行多重接続エリア＃２とそれに対応する上行多重接続エリア＃２の位置情報とリソース割当情報をそれぞれに送信する。下行多重接続エリア＃２の下行制御タイムスロットには、下行データタイムスロット＃２を端末＃２に割当て、端末＃２は、当該タイムスロットにおいて、上行ＳＣ−ＦＤＭＡ技術を使用してデータ送信を行い、下行多重接続エリア＃２の上行制御タイムスロットには、初期アクセスチャンネル及びデータチャンネルの位置を割当てる。
【００７９】
端末の初期ネットワークアクセスを行うプロセスは図６に示すように、以下のステップを含む。
【００８０】
ステップ６１０：端末は自身が支持する下行多重接続技術の同期信号を捜索する。
【００８１】
基地局は、以下の様態で異なる多重接続技術の同期信号を送信することができる。即ち、前記基地局は、下行多重接続エリア毎の同期チャンネルにおいて、下行多重接続技術毎の同期信号を送信し、或いは、前記基地局は、下行フレームの共用の同期エリアにおいて、それが支持する全ての下行多重接続技術の端末へ同期信号を送信し、下行多重接続技術毎の同期信号は、１つの下行多重接続エリアに対応する。
【００８２】
端末１と端末２のそれぞれは、下行チャンネルをスキャンし、自身が支持する同期信号を捜索する。図５に示すように、下行ＯＦＤＭＡ多重接続技術が支持される端末１は下行プリアンブルを捜索し、下行ＳＣ−ＦＤＭＡ多重接続技術が支持される端末２は下行同期チャンネルを捜索する。
【００８３】
ステップ６２０：端末は、基地局と同期を建立。
【００８４】
ステップ６３０：端末は、基地局と同期を建立した後、基地局が送信した下行フレームを受信し、自身の上行多重接続技術が基地局に支持されるかどうかを判断し、Ｙｅｓの場合はステップ６４０を実行し、そうでなければ、ステップ６１０に戻る。
【００８５】
ステップ６４０：端末は、上行制御メッセージから、自身が支持される下行多重接続エリアの初期アクセスエリアの割当情報、及び上行発信パラメーターを獲得する。
【００８６】
基地局は２種の上行多重接続アクセス技術を支持する場合、端末は、基地局と同期を取った後、自身の上行多重接続技術が当該基地局に支持されるかどうかを予め判断する必要があり、基地局は１種の上行多重接続アクセス技術のみを支持する場合、端末がネットワークにアクセスした後、基地局は、当該端末が利用する多重接続技術は本基地局と同じであると黙認してもよい。
【００８７】
ステップ６５０：端末は、初期アクセスエリアの割当情報に基づき、前記上行初期ネットワークアクセスエリアにおいて、ネットワークアクセスメッセージを送信し、初期ネットワークアクセスを行う。
【００８８】
端末＃１と端末＃２のそれぞれは、上行多重接続エリア＃１と上行多重接続エリア＃２において、それぞれの初期化技術を使用し、初期ネットワークアクセスを行う。
【００８９】
以上の端末処理の流れはおおむね図２と同じであるが、端末＃１と端末＃２では、支持される上行と下行多重接続技術が異なるので、具体的な処理が異なるところがある。
【００９０】
システムにおいて、端末が基地局と通常な通信を行う過程において、支持する下行多重接続エリアの位置が変更する場合、端末は、基地局と再同期を建立する必要があり、図７に示すように、以下のステップを含む。
【００９１】
ステップ７１０：端末は基地局と通常な通信を行う。
【００９２】
ステップ７２０：端末は、基地局の下行制御メッセージを受信し、メッセージには、以降のあるフレームにおける下行多重接続エリアの位置変更情報が指示され、その位置変更情報は、下行多重接続エリアの下行フレームにおける新たな位置、及びそれが起こるフレームを含む。
【００９３】
ステップ７３０：端末は、指示情報に基づき、変更が起こるフレームにおいて同期信号を捜索し、同期を獲得。
【００９４】
ステップ７４０：端末は、基地局との通常な通信状態に入る。
【００９５】
端末がネットワークにアクセスした後、下行データを受信するプロセスは以下である。
【００９６】
ステップ１：端末は、基地局が送信した下行フレームを受信し、対応な下行多重接続エリアから下行制御メッセージを獲得して、下行多重接続エリアのリソース割当情報を獲得する。
【００９７】
当該下行多重接続エリアに使用される下行多重接続技術は当該端末に支持されるものである。端末が受信した下行制御メッセージにおいて、以降のあるフレームにおける当該下行多重接続エリアの位置変更の情報が指示される場合、端末は、当該以降の下行フレームにおいて、新たな位置で同期信号の捜索、同期及び下行受信を行う。
【００９８】
ステップ２：端末は、下行多重接続エリアのリソース割当情報に基づき、基地局が下行送信したデータを受信する。
【００９９】
端末がネットワークにアクセスした後、上行データの送信プロセスは以下である。
【０１００】
ステップ１：端末は、下行フレームにおける対応な下行多重接続エリアで基地局により送信された上行制御メッセージを受信し、当該下行多重接続エリアに対応する上行多重接続エリアの位置情報とリソース割当情報を獲得する。
【０１０１】
当該下行多重接続エリアに使用される下行多重接続技術、及び対応な上行多重接続エリアに使用される上行多重接続技術は、当該端末に支持されるものである。
【０１０２】
ステップ２：端末は、上行多重接続エリアのリソース割当情報に基づき、前記上行多重接続エリアの利用可能な上行バースト或いはタイムスロットにおいて、送信を行う。
【０１０３】
（第３実施例）
本実施例では、基地局は、下行ＯＦＤＭＡ多重接続技術と下行ＭＣ−ＴＤ−ＳＣＤＭＡ多重接続技術と、上行ＯＦＤＭＡ多重接続技術と上行ＳＣ-ＦＤＭＡ多重接続技術と上行ＭＣ-ＴＤ−ＳＣＤＭＡ多重接続技術とを支持する。端末＃１は、下行ＯＦＤＭＡ多重接続技術と上行ＯＦＤＭＡ多重接続技術を支持し、端末＃２は、下行ＯＦＤＭＡ多重接続技術と上行ＳＣ−ＦＤＭＡ多重接続技術を支持し、端末＃３は、下行ＭＣ−ＴＤ−ＳＣＤＭＡ（マルチキャリア時間分割同期符号多重接続）多重接続技術と上行ＭＣ−ＴＤ−ＳＣＤＭＡ多重接続技術を支持する。
【０１０４】
本実施例を実現するフレーム構造は図８に示すように、端末＃１は、下行多重接続エリア＃１と上行多重接続エリア＃１により、基地局と通信を行い、端末＃２は、下行多重接続エリア＃１と上行多重接続エリア＃３により、基地局と通信を行い、端末＃３は、下行多重接続エリア＃２と上行多重接続エリア＃２により、基地局と通信を行う。
【０１０５】
基地局は、下行多重接続エリア＃１と下行多重接続エリア＃２の先頭に、それぞれにプリアンブル＃１と同期タイムスロット＃１を送信し、それぞれが、下行ＯＦＤＭＡ多重接続技術と下行ＭＣ−ＴＤ−ＳＣＤＭＡ多重接続技術が支持される端末の初期ネットワーク捜索と同期に利用される。
【０１０６】
基地局は、以下の様態で異なる多重接続技術の同期信号を送信することができる。即ち、基地局は、下行多重接続エリア毎の同期チャンネルにおいて、下行多重接続技術毎の同期信号を送信し、或いは、基地局は、下行フレームの共用の同期エリアにおいて、それが支持する全ての下行多重接続技術の端末へ同期信号を送信し、下行多重接続技術毎の同期信号は、１つの下行多重接続エリアに対応する。
【０１０７】
基地局は、下行多重接続エリア＃１において、当該下行多重接続エリアの下行制御メッセージＤＬ−ＭＡＰ、及び、当該下行多重接続エリアに対応する上行多重接続エリア＃１と上行多重接続エリア＃２の上行制御メッセージＵＬ−ＭＡＰを送信する。下行制御メッセージには、当該下行多重接続エリアのリソース割当情報を含む。図に示すように、基地局は、下行制御メッセージＤＬ−ＭＡＰを使用して、下行多重接続エリア＃１において、バースト＃１とバースト＃２を、下行ＯＦＤＭＡ多重接続技術が支持される端末＃１と端末＃２にそれぞれに割り当てる。また、基地局は、下行制御メッセージＤＬ−ＭＡＰを使用して、バースト３〜６を、下行ＯＦＤＭＡ多重接続技術が支持される他の端末に割り当てる。
【０１０８】
図８に示すように、基地局は、下行多重接続エリア＃１の上行制御メッセージにおいて、上行多重接続エリア＃１と上行多重接続エリア＃３の位置情報やリソース割当情報、初期アクセスエリアの割当情報等を送信する。上行多重接続エリア＃１において、基地局は、端末＃１の上行送信のためにバースト＃１を割り当て、上行多重接続エリア＃３において、基地局は、端末＃２の上行送信のためにタイムスロット＃２を割り当てる。図８に示すように、基地局は、下行多重接続エリア＃１の上行制御メッセージにおいて、当該下行多重接続エリアに対応する上行多重接続エリア＃１と上行多重接続エリア＃３に対し、初期アクセスエリアを割り当てる。上行多重接続エリア＃１における初期アクセスエリアは、上行ＯＦＤＭＡ多重接続技術が支持される端末に利用され、例えば、端末＃１は初期ネットワークアクセスを行い、上行多重接続エリア＃３のタイムスロット＃１におけるランダムアクセスチャンネル（ｒａｎｄｏｍ  ａｃｃｅｓｓ  ｃｈａｎｎｅｌ）は、端末＃２の初期ネットワークアクセスに利用される。
【０１０９】
図８に示すように、基地局は、下行多重接続エリア＃２の下行と上行制御タイムスロットにおいて、下行制御メッセージと上行制御メッセージを送信し、それぞれが、当該下行多重接続エリア及びそれに対応する上行多重接続エリア＃２に対する制御メッセージを含む。基地局は、下行多重接続エリア＃２における下行タイムスロット＃２を端末＃３に割り当て、上行多重接続エリア＃２における上行タイムスロット＃１を端末＃３に割り当て、且つ、上行多重接続エリア＃２において、ランダムアクセスタイムスロット（Ｒａｎｄｏｍ  ａｃｃｅｓｓ  Ｓｌｏｔ）の割当を含む。
【０１１０】
以上説明したのは本発明の好ましい実施例のみであり、本発明を制限するものではない。本分野の当業者ならば、本発明には幾つかの変更と変形がある。本発明の要旨を逸脱しない範囲で、いずれかの変更や、同じものの取替、改善などは本発明における請求の範囲に属すべきである。
【０１１１】
例えば、基地局は、下行フレームの先頭に或いは同期チャンネルにおいて、当該基地局が支持する全ての下行多重接続技術の同期信号を送信してもよい。
【産業上の利用可能性】
【０１１２】
本発明は、無線通信分野に適用可能であり、異なる多重接続技術を同一のキャリア周波数で支持することを実現する。
【図１】
2010524308.tif 000003
【図２】
2010524308.tif 000004
【図３】
2010524308.tif 000005
【図４】
2010524308.tif 000006
【図５】
2010524308.tif 000007
【図６】
2010524308.tif 000008
【図７】
2010524308.tif 000009
【図８】
2010524308.tif 000010
【手続補正書】
【提出日】平成21年10月2日(2009.10.2)
【手続補正１】
【補正対象書類名】明細書
【補正対象項目名】全文
【補正方法】変更
【補正の内容】
【発明の詳細な説明】
【技術分野】
【０００１】
本発明は、無線通信分野に関し、特に、無線通信分野において多種の多重接続アクセス技術を同時に支持可能なシステム、方法及びそのフレーム構造に関する。
【背景技術】
【０００２】
無線通信システムにおいて、多種の多重接続技術、例えば符号分割多重接続（ＣＤＭＡ）や、周波数分割多重接続（ＦＤＭＡ）、時間分割多重接続（ＴＤＭＡ）等が存在する。無線通信技術の発展に従い、空間分割多重接続（ＳＤＭＡ）と直交周波数分割多重接続（ＯＦＤＭＡ）等を含む新たな多重接続技術が次々と開発されている。
【０００３】
これらの多重接続技術にはそれぞれの長所があり、ＦＤＭＡ技術では、システムの全ての帯域幅を、重なっていない幾つのサブ周波数帯に分割し、サブ周波数帯毎をユーザ毎に割り当て、ＴＤＭＡ技術では、チャンネル毎を幾つのタイムスロットに分割し、タイムスロット毎をユーザ毎に割り当て、ＣＤＭＡ技術では、優れた自己相関及び相互相関特性を有する１つのシュードランダムコード（pseudo-random sequence）をユーザ毎に割り当て、そして、複数のユーザが同じの帯域幅に信号を同時に送信することができる。ＴＤＭＡとＣＤＭＡでは、一般的には、それらの帯域をＦＤＭＡによって小さい周波数帯に分割してから、時間分割或いは符号分割を行う。ＳＤＭＡでは、空間の非相関性を利用して多重接続能力を取得する。
【０００４】
これらの従来の多重接続アクセス技術に対し、基地局と端末は単キャリア周波数或いは狭い帯域幅において信号の送信を行うため、比較的には、レート（rate）の低い音声サービスに適用する。高速データサービスに対し、単キャリアウエ―ブシステム或いは狭い帯域システムには、共に深刻な符号間干渉があるため、受信機のイコライザに対する要求が高い。従来の多キャリアウエ―ブが支持される多重接続アクセス技術に対し、受信機側にフィルターグループを利用して信号分離を行う必要がある。このような多重接続技術の実現は簡単であるが、周波数スペクトルの利用率が低いという欠点がある。
【０００５】
一方、高速データサービスを支持可能なＯＦＤＭＡ技術では、チャンネル帯域幅を、異なるサブチャンネルに分割し、複数のユーザが異なる帯域幅に信号を同時に送信することができる。ＯＦＤＭＡシステムでは、高速データの直/並変換（serial-to-parallel convertion）によって、信号間干渉を効率的に軽減することができ、受信機の複雑性を軽減することができる。また、ＯＦＤＭＡシステムでは、サブキャリアウエ―ブの間における直交性を利用し、サブチャンネルの周波数スペクトルが互いに重なることが可能になり、周波数スペクトルリソースを最大限まで利用する。しかし、単キャリアウエ―ブに比較すると、ＯＦＤＭＡシステムでは、高いピーク対平均比値（peak to average power ratio）がある。
【０００６】
無線通信技術の発展、特に多重接続の発展に従い、無線端末の種類及び支持できるサービスタイプも大きく発展している。各種類の携帯端末以外に、固定端末、及びノートパソコンにおけるアプリケーションも重要な一部である。基本的に、携帯端末では、体積とコストから、小さい電力消耗が必要となるため、例えばＳＣ−ＦＤＭＡ（単キャリアウエ―ブ周波数分割多重化）等の従来の単キャリアウエ―ブの多重接続技術を利用することができ、レートの低い音声サービスを支持する。一方、固定端末とノードパソコンでは、電源による電力供給或いは他の安定した電力供給デバイスを利用することができるため、ユーザに対してレートの高いデータサービスを提供することができるので、ＯＦＤＭＡの多重接続技術を利用することが可能になる。
【０００７】
従来の無線通信システムにおいて、基地局は、１つの種類の多重接続技術の端末のみを支持することができる。例えばＣＤＭＡ通信システムにおいて、基地局は、上行と下行と共にＣＤＭＡ多重接続技術を利用する端末のみを支持することができる。ＩＥＥＥ（電気電子学会：Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１６ｅシステムにおいて、基地局は、上行と下行と共にＯＦＤＭＡ多重接続技術を利用する端末のみを支持することができる。
【０００８】
しかしながら、無線通信技術の発展に従い、各種の異なる多重接続技術に対し、同一のキャリア周波数に異なる多重接続技術を支持可能な通信システムは必要となっている。
【発明の概要】
【０００９】
本発明が解決しようとする技術課題は、多種の多重接続技術が支持されるシステム、方法及びそのフレーム構造を提供し、同一のキャリア周波数内に多種の多重接続技術を支持することができる。
【００１０】
前記の技術課題を解決するために、本発明は、多種の多重接続技術が支持されるシステムにおける端末のアクセス方法を提供し、
（ａ）基地局が下行フレームを送信し、下行フレームにおいて少なくとも１つの下行多重接続エリアを含み、下行多重接続エリア毎に１種の下行多重接続技術が支持され、各下行多重接続エリアが１つあるいは複数の上行多重接続エリアに関連付けられ、下行多重接続エリア毎の上行制御メッセージには、関連付けられた上行多重接続エリアが支持する上行多重接続技術情報、及び対応な初期アクセスエリアの割当情報を含み、上行フレームは、異なる上行多重接続技術が支持される少なくとも２つの上行多重接続エリアに区画され、
（ｂ）端末は、下行チャンネルをスキャンし、自身が支持する下行多重接続技術の同期信号を捜索し、基地局と同期を建立した後、対応な下行多重接続エリアから上行制御メッセージを獲得し、それにおける情報に基づき、自身が支持される上行多重接続技術があると判断し、当該上行制御メッセージに指示された初期アクセスエリア情報に基づき、初期ネットワークアクセスを行い、そうでなければ、チャンネルの再スキャンを行う。
【００１１】
さらに、前記上行多重接続エリアと下行多重接続エリアは、時間分割様態あるいは周波数分割様態により区画され、前記下行多重接続エリア毎の上行制御メッセージには、関連付けられた上行多重接続エリアの位置及び/或いはサイズ情報をさらに含み、前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることである。
【００１２】
さらに、基地局が送信した前記下行フレームは、上行フレームにおける複数の上行多重接続エリアに関連付けられた１つの下行多重接続エリアを含み、
或いは、基地局が送信した前記下行フレームは、それぞれが上行フレームにおける１つ或いは複数の上行多重接続エリアに関連付けられた少なくとも２つの下行多重接続エリアを含む。
【００１３】
さらに、前記上行多重接続エリアに対応な初期アクセスエリアの割当情報は、初期アクセスエリアの位置、サイズ、支持される上行多重接続技術のタイプのうちの１つ或いは任意の組合を含む。
【００１４】
さらに、異なる上行多重接続技術を利用する端末は、異なる初期アクセスエリアを使用してアクセスを行い、各初期アクセスエリアは、対応な上行多重接続エリアに位置し、
或いは、初期アクセスエリアは、上行フレームにおける共用エリアに位置し、多種の上行多重接続技術を利用する端末は、同じの初期アクセスエリアを使用してアクセスを行うことができる。
【００１５】
さらに、前記下行フレームが複数の下行多重接続エリアを含む場合、各下行多重接続エリアの相対位置も変更可能であり、
ある下行多重接続エリアの位置を変更する必要がある場合、基地局は、下行多重接続エリアに対応な下行制御メッセージにおいて、位置変更の情報を繰り上げ送信し、当該位置変更の情報は、下行多重接続エリアのフレームにおける新たな位置、及び発生されたフレームを含み、
端末は、基地局と通常な通信を行い、端末が下行多重接続エリアの、以降のある１つのフレームにおける当該下行多重接続エリアの位置変更指示の情報を含んだ下行制御メッセージを受信した後、指示に従い、新たな下行多重接続エリアが位置するフレームにおいて、同期信号の捜索を行い、同期を完了した後、通常な通信を続ける。
【００１６】
さらに、前記基地局は、各下行多重接続エリアの同期チャンネルにおいて、各下行多重接続技術の同期信号を送信し、
或いは、前記基地局は、下行フレームの共用の同期エリアにおいて、全ての下行多重接続技術の端末に同期信号を送信し、各下行多重接続技術の同期信号は１つの下行多重接続エリアに対応する。
【００１７】
さらに、前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含む。
【００１８】
本発明はさらに、多種の多重接続技術が支持されるシステムが下行伝送を実現する方法を提供し、
（ａ）基地局が下行フレームを送信し、下行フレームにおいて少なくとも１つの下行多重接続エリアを含み、下行多重接続エリア毎に１種の下行多重接続技術の送信が支持され、各下行多重接続エリアが１つあるいは複数の上行多重接続エリアに関連付けられ、下行多重接続エリア毎の上行制御メッセージには、関連付けられた上行多重接続エリアの情報を含み、下行多重接続エリア毎の下行制御メッセージには、当該エリアのリソース割当情報を含み、上行フレームは、異なる上行多重接続技術が支持される少なくとも２つの上行多重接続エリアに区画され、
（ｂ）端末は、初期アクセスを完了した後、支持する下行多重接続技術に対応な下行多重接続エリアから下行制御メッセージを獲得し、それにおけるリソース割当情報に基づき、基地局により下行送信されたデータを受信するステップを含む。
【００１９】
さらに、基地局が送信した前記下行フレームは、上行フレームにおける複数の上行多重接続エリアに関連付けられた１つの下行多重接続エリアを含み、或いは、基地局が送信した前記下行フレームは、それぞれが上行フレームにおける１つ或いは複数の上行多重接続エリアに関連付けられた少なくとも２つの下行多重接続エリアを含み、前記上行多重接続エリアと下行多重接続エリアは、時間分割様態あるいは周波数分割様態により区画され、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることである。
【００２０】
さらに、前記下行多重接続エリア毎の下行制御メッセージには、当該エリアのリソース割当情報に加え、下行多重接続エリアの位置情報及び/或いは下行発信パラメーターをさらに含み、前記リソース割当情報は、下行リソースブロックの位置、サイズ、タイプ、宛先（object）アドレス、発信パラメーターのうちの１種或いは任意の組合をさらに含み、当該宛先アドレスは、当該下行リソースブロックにおいてデータを受信する端末を指示することに用いられる。
【００２１】
さらに、前記下行フレームが複数の下行多重接続エリアを含む場合、各下行多重接続エリアの相対位置が変更可能であり、ある下行多重接続エリアの位置を変更する必要がある場合、基地局は、下行多重接続エリアに対応な下行制御メッセージにおいて、位置変更の情報を繰り上げ送信し、当該位置変更の情報は、下行多重接続エリアのフレームにおける新たな位置、及び発生したフレームを含み、端末は、下行多重接続エリアの、以降のある１つのフレームにおける当該下行多重接続エリアの位置変更指示の情報を含んだ下行制御メッセージを受信した後、指示に従い、新たな下行多重接続エリアが位置するフレームにおいて、同期信号の捜索を行い、同期を完了した後、通常な通信を続ける。
【００２２】
さらに、前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含む。
【００２３】
本発明はさらに、多種の多重接続技術が支持されるシステムが上行伝送を実現する方法を提供し、
（ａ）基地局が下行フレームを送信し、下行フレームにおいて少なくとも１つの下行多重接続エリアを含み、下行多重接続エリア毎に１種の下行多重接続技術の送信が支持され、各下行多重接続エリアが１つあるいは複数の上行多重接続エリアに関連付けられ、下行多重接続エリア毎の上行制御メッセージには、関連付けられた上行多重接続エリアのリソース割当情報を含み、上行フレームは、異なる上行多重接続技術が支持される少なくとも２つの上行多重接続エリアに区画され、
（ｂ）端末は、初期アクセスを完了した後、支持する下行多重接続技術に対応な下行多重接続エリアから上行制御メッセージを獲得し、それにおけるリソース割当情報に基づき、利用可能なリソースブロックにおいて、自身の上行多重接続技術を使用して上行送信を行うステップを含む。
【００２４】
さらに、基地局が送信した前記下行フレームは、上行フレームにおける複数の上行多重接続エリアに関連付けられた１つの下行多重接続エリアを含み、或いは、基地局が送信した前記下行フレームは、それぞれが上行フレームにおける１つ或いは複数の上行多重接続エリアに関連付けられた少なくとも２つの下行多重接続エリアを含み、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることである。
【００２５】
さらに、前記上行制御メッセージには、関連付けられた上行多重接続エリアのリソース割当情報に加え、関連付けられた上行多重接続エリアの、支持する上行多重接続技術情報、位置、サイズのうちの１種或いは任意の組合をさらに含み、ここで、リソース割当情報は、上行リソースブロックの位置、サイズ、タイプ、宛先アドレス、発信パラメーターのうちの１種或いは任意の組合をさらに含み、当該宛先アドレスは、当該上行リソースブロックにおいて上行送信をおこなう端末を指示することに用いられる。
【００２６】
さらに、前記上行フレームにおける複数の上行多重接続エリアの相対位置が変更可能であり、
ある上行多重接続エリアの位置を変更する必要がある場合、基地局は、下行多重接続エリアに対応な上行制御メッセージにおいて、上行多重接続エリアの位置変更の情報を送信し、カレントフレームにおける上行多重接続エリアの新たな位置を指示し、
端末は、下行多重接続エリアの上行制御メッセージに指示されたカレントフレームにおける上行多重接続エリアの新たな位置情報を受信した後、新たな上行多重接続エリアに上行信号の送信を行う。
【００２７】
さらに、前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含む。
【００２８】
本発明はさらに、多種の多重接続技術が支持されるシステムフレーム構造を提供し、上行フレームと下行フレームを含み、前記下行フレームにおいて少なくとも１つの下行多重接続エリアを含み、下行多重接続エリア毎に１種の下行多重接続技術が支持され、前記上行フレームにおいて、異なる上行多重接続技術が支持される少なくとも２つの上行多重接続エリアを含み、各下行多重接続エリアは、１つあるいは複数の上行多重接続エリアに関連付けられることを特徴とする。
【００２９】
さらに、前記下行フレームは、上行フレームにおける複数の上行多重接続エリアに関連付けられた１つの下行多重接続エリアを含み、或いは、前記下行フレームは、それぞれが上行フレームにおける１つ或いは複数の上行多重接続エリアに関連付けられた少なくとも２つの下行多重接続エリアを含み、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることであり、下行多重接続エリア毎の上行制御メッセージには、関連付けられた上行多重接続エリアの情報を含む。
【００３０】
さらに、前記上行フレームには初期アクセスエリアをさらに含み、初期接続エリアは、対応な１つの上行多重接続エリアに位置し、或いは、初期接続エリアは、上行フレームにおける共用エリアに位置する。
【００３１】
さらに、前記上行制御メッセージにおける関連付けられた上行多重接続エリアの情報は、対応な初期アクセスエリアの割当情報、支持する上行多重接続技術情報、関連付けられた上行多重接続エリア位置、サイズ、発信パラメーター、リソース割当情報のうちの１種或いは任意の組合を含み、ここで、リソース割当情報は、上行リソースブロックの位置、サイズ、タイプ、宛先アドレス、発信パラメーターのうちの１種或いは任意の組合を含み、当該宛先アドレスは、当該上行リソースブロックにおいて上行送信をおこなう端末を指示することに用いられる。
【００３２】
さらに、前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含む。
【００３３】
さらに、各下行多重接続エリアの同期チャンネルにおいて、対応な下行多重接続技術の同期信号を含み、或いは、下行フレームの共用の同期チャンネルエリアにおいて、全ての下行多重接続技術の同期信号を含み、各下行多重接続技術の同期信号は１つの下行多重接続エリアに対応する。
【００３４】
本発明はさらに、多種の多重接続技術が支持されるシステムを提供し、基地局と端末とを含み、前記基地局は、下行フレームを送信し、下行フレームにおいて少なくとも１つの下行多重接続エリアを含み、下行多重接続エリア毎に１種の下行多重接続技術の送信が支持され、各下行多重接続エリアが１つあるいは複数の上行多重接続エリアに関連付けられ、下行多重接続エリア毎の上行制御メッセージには、関連付けられた上行多重接続エリアが支持する上行多重接続技術情報と、対応な初期アクセスエリアの割当情報と、当該下行多重接続エリアに関連付けられた上行多重接続エリアのリソース割当情報とを含み、下行多重接続エリア毎の下行制御メッセージには、当該下行多重接続エリアのリソース割当情報を含み、上行フレームは、異なる上行多重接続技術が支持される少なくとも２つの上行多重接続エリアに区画され、
前記端末は、下行チャンネルをスキャンし、自身が支持する下行多重接続技術の同期信号を捜索し、基地局と同期を建立した後、対応な下行多重接続エリアから上行制御メッセージを獲得し、それにおける情報に基づき、システムが自身の上行多重接続技術を支持すると判断した場合、当該上行制御メッセージに指示された初期アクセスエリア情報に基づき、初期ネットワークアクセスを行ってから、支持する下行多重接続技術に対応の下行多重接続エリアから、下行制御メッセージと上行制御メッセージとを獲得し、それにおけるリソース割当情報に基づき、基地局が下行送信したデータを受信し、且つ、利用可能なリソースブロックにおいて、自身の上行多重接続技術を使用して上行送信を行う。
【００３５】
さらに、基地局が送信した前記下行フレームは、上行フレームにおける複数の上行多重接続エリアに関連付けられた１つの下行多重接続エリアを含み、或いは、基地局が送信した前記下行フレームは、それぞれが上行フレームにおける１つ或いは複数の上行多重接続エリアに関連付けられた少なくとも２つの下行多重接続エリアを含み、前記上行多重接続エリアと下行多重接続エリアは、時間分割様態あるいは周波数分割様態により区画され、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることである。
【００３６】
さらに、基地局は、ある下行多重接続エリアの位置を変更する必要がある場合、下行多重接続エリアに対応な下行制御メッセージにおいて、位置変更の情報を繰り上げ送信し、当該位置変更の情報は、下行多重接続エリアのフレームにおける新たな位置、及び発生したフレームを含み、
端末は、基地局と通常な通信を行い、下行多重接続エリアの、以降のある１つのフレームにおける当該下行多重接続エリアの位置変更指示の情報を含んだ下行制御メッセージを受信した後、指示に従い、新たな下行多重接続エリアが位置するフレームにおいて、同期信号の捜索を行い、同期を完了した後、通常な通信を続ける。
【００３７】
さらに、前記基地局は、各下行多重接続エリアの同期チャンネルにおいて、各下行多重接続技術の同期信号を送信し、或いは、下行フレームの共用の同期エリアにおいて、全ての下行多重接続技術の端末に同期信号を送信し、各下行多重接続技術の同期信号は１つの下行多重接続エリアに対応する。
【００３８】
さらに、前記基地局により下行多重接続エリア毎の上行制御メッセージに含まれた初期アクセスエリアの割当情報において、各上行多重接続エリアは、１つの初期アクセスエリアをそれぞれに有し、或いは、初期アクセスエリアは上行フレームにおける共用エリアに位置し、多種の上行多重接続技術を利用する端末は、同じの初期アクセスエリアを使用してアクセスを行うことができる。
【００３９】
さらに、前記基地局が送信した下行フレームにおける下行多重接続エリアが支持する下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、受信された上行フレームにおける上行多重接続エリアが支持する上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含む。
【００４０】
本発明に係る方法によれば、同一の通信システムは、同一のフリークエンシーバンドに多種の多重接続技術を支持することができる。
【図面の簡単な説明】
【００４１】
【図１】図１は本発明の第１実施例のシステムを実現するフレーム構造の模式図である。
【図２】図２は第１実施例のシステムを利用した端末の初期ネットワークアクセスのフローチャートである。
【図３】図３は第１実施例のシステムを利用した端末の下行受信のフローチャートである。
【図４】図４は第１実施例のシステムを利用した端末の上行送信のフローチャートである。
【図５】図５は第２実施例のシステムを実現するフレーム構造の模式図である。
【図６】図６は第２実施例のシステムを利用した端末の初期ネットワークアクセスのフローチャートである。
【図７】図７は第２実施例のシステムを利用した端末の下行多重接続エリアの位置変更における同期プロセスのフローチャートである。
【図８】図８は第３実施例のシステムを実現するフレーム構造の模式図である。
【発明を実施するための形態】
【００４２】
本発明では、多種の多重接続技術が支持されるシステムは、基地局と端末とを含み、
基地局は、異なる多重接続技術が支持される１つ或いは複数の端末に、制御情報とデーターとを送信し、且つ、異なる多重接続技術が支持される端末により送信されたデータを受信する。具体的には、当該基地局は、下行フレームを送信し、下行フレームにおいて少なくとも１つの下行多重接続エリアを含み、下行多重接続エリア毎に１種の下行多重接続技術の送信が支持され、端末が送信した上行フレームにおいて、異なる上行多重接続技術が支持される少なくとも２つの上行多重接続エリアを含み、各下行多重接続エリアは、１つあるいは複数の上行多重接続エリアに関連付けられ、下行多重接続エリア毎の上行制御メッセージには、関連付けられた上行多重接続エリアに対応な初期アクセスエリアの割当情報を含む。
【００４３】
端末は、基地局が送信した制御メッセージを受信し、当該制御メッセージに基づき、基地局が送信したデータを受信し、且つ、当該基地局が自身の多重接続技術を支持する場合、当該制御メッセージに基づき、記前基地局にデータを送信する。具体的には、端末は、それぞれの下行チャンネルをスキャンし、自身が支持する下行多重接続技術の同期信号を捜索し、基地局と同期を建立した後、対応な下行多重接続エリアから上行制御メッセージを獲得し、基地局が自身の上行多重接続技術を支持する場合、当該上行制御メッセージに指示された初期アクセスエリア情報に基づき、それぞれが支持する初期アクセス技術を使用して、初期ネットワークアクセスを行う。
【００４４】
以下は、図面と具体的な実施様態を合わせて、本発明についてさらに詳しく説明するが、本発明を限定するものではない。
【００４５】
（第１実施例）
同一のキャリア周波数内に、基地局は、１種の下行多重接続技術と１種以上の上行多重接続技術とを支持する。本実施例では、基地局は、下行にＯＦＤＭＡ多重接続技術を支持し、上行にＯＦＤＭＡ多重接続技術とＳＣ-ＦＤＭＡ多重接続技術を支持する。たとえば、端末＃１は、下行にＯＦＤＭＡ多重接続技術を支持し、上行にＯＦＤＭＡ多重接続技術を支持し、端末＃２は、下行にＯＦＤＭＡ多重接続技術を支持し、上行にＳＣ−ＦＤＭＡ多重接続技術を支持し、他の端末は、下行にＯＦＤＭＡ多重接続技術を支持し、上行にＯＦＤＭＡ多重接続技術或いはＳＣ−ＦＤＭＡ多重接続技術を支持する。
【００４６】
本実施例を実現するフレーム構造は図１に示す。当該フレーム構造は、下行フレームと上行フレームとを含む。下行フレームは、１つの下行多重接続エリア（ＤＬ  Ｚｏｎｅ）のみを含み、当該エリアは、１種の下行多重接続技術、すなわち、下行ＯＦＤＭＡ技術のみを支持する。上行フレームは、時間分割或いは周波数分割の様態により、２つの上行多重接続エリアに分割され、異なる上行多重接続技術をそれぞれに支持する。本実施例において、上行多重接続エリア＃１（ＵＬ  Ｚｏｎｅ＃１）は上行ＯＦＤＭＡ多重接続技術、上行多重接続エリア＃２（ＵＬ  Ｚｏｎｅ＃２）は上行ＳＣ−ＦＤＭＡ多重接続技術をそれぞれに支持する。当該下行多重接続エリア＃１は、２つの上行多重接続エリア＃１と＃２とに関連付けられた。
【００４７】
図１に示すように、基地局は、下行フレームの先頭にプリアンブル（ｐｒｅａｍｂｌｅ）を送信し、下行多重接続エリアにおいて、上行制御メッセージと下行制御メッセージとを端末に送信する。ここで、下行制御メッセージは、ＦＣＨ（フレーム制御ヘッド、Ｆｒａｍｅ  Ｃｏｎｔｒｏｌ  Ｈｅａｄ）とＤＬ−ＭＡＰ（ダウンリンクマップ）メッセージとを含み、また、ＤＣＤ（下行チャンネル説明）メッセージを含んでもよく、上行制御メッセージは、ＵＬ−ＭＡＰメッセージを含み、また、ＵＣＤ（上行チャンネル説明）メッセージ、或いは、他のブロードキャスト制御メッセージを含んでもよく（図面にはＤＣＤとＵＣＤを示していない）。
【００４８】
基地局は、下行制御メッセージにおいて、下行発信に関するパラメーターと下行多重接続エリアのリソース割当情報とを含み、また、下行フレームにおける下行多重接続エリアの位置情報或いは更新情報を含んでもよい。ここで、下行発信に関するパラメーターは、基地局の標識（identifier）と、基地局の基本能力パラメーターと、下行発信に利用される帯域、ポイント数、フレーム長、タイマーの定義などの内容を含み（上行発信に関するパラメーターも前記パラメーターを含む）、下行多重接続エリアのリソース割当情報は、下行の全てのバースト（Burst）の位置、サイズ、タイプ、宛先アドレス（当該下行リソースブロックにおいてデータを受信する端末を指示する、たとえば、宛先端末の標識である）、発信パラメーター（たとえば、送信に利用される変調コーディング方法である）のうちのパラメーターの１つ或いは任意の組合を含む。図１に示すように、下行制御メッセージＤＬ−ＭＡＰには、バースト＃１からバースト＃９までの全ての割当情報を含み、バースト＃１は端末＃１（ＭＳ＃１）に送信されるものであり、バースト＃２は端末＃２（ＭＳ＃２）に送信されるものであり、他のバーストも、端末＃１と端末＃２とを含む当該システムの端末に指示されるものであり、前記バーストはっもっとあってもよい。
【００４９】
基地局は、上行制御メッセージにおいて、基地局が支持する全ての上行多重接続技術の情報（たとえば、上行多重接続技術のタイプ）と、上行発信に関するパラメーター（たとえば、上行発信に利用される帯域、ポイント数などのパラメーター）を含み、また、上行多重接続エリア毎の位置情報とリソース割当情報とを含む。フレームとフレームの間には上行多重接続エリア毎の相対位置とサイズは変更可能であるので、当該位置情報が更新される時に、端末に通知する必要がある。前記上行多重接続エリアの位置情報は、上行多重接続エリア（たとえば、図１におけるＵＬ  Ｚｏｎｅ＃１とＵＬ  Ｚｏｎｅ＃２）毎の上行フレームにおける位置及び/或いは上行多重接続エリアのサイズなどを含む。前記上行多重接続エリアのリソース割当情報は、各上行多重接続エリアにおけるバースト（Ｂｕｒｓｔ）或いはタイムスロット（ｓｌｏｔ）の割当情報を含み、バースト或いはタイムスロット毎の位置や、当該上行バースト或いはタイムスロットの宛先アドレス（当該バースト/タイムスロットにおいて上行送信する端末を指示する）、バースト或いはタイムスロットのサイズやタイプ（当該バースト或いはタイムスロットにどのデータを搬送するかを指示する）、発信に利用された変調コーディング方法などのパラメーターの１つ或いは任意の組合を含む。図１に示すように、上行制御メッセージＵＬ−ＭＡＰには、上行多重接続エリア＃１における上行バースト＃１の位置や宛先アドレスなどのパラメーターが指示され、上行送信のために端末＃１に割当られ、及び、上行多重接続エリア＃２における上行タイムスロット＃１の位置情報及び宛先アドレスなどのパラメーターが指示され、上行送信のために端末＃２に割当られる。
【００５０】
基地局は、上行制御メッセージにおいて、初期アクセスエリアの割当情報をさらに搬送し、前記初期アクセスエリアは少なくとも１つ存在し、初期アクセスエリアの割当情報には、各上行多重接続エリアにおける上行初期アクセスエリア（たとえば、Ｉｎｉｔｉａｌ  ｒａｎｇｉｎｇ  ｒｅｇｉｏｎ及びｒａｎｄｏｍ  ａｃｃｅｓｓ  ｓｌｏｔ  ）の割当情報を含み、当該割当情報は、当該上行初期アクセスエリアの、上行フレーム或いは上行多重接続エリア毎における位置、サイズ、支持する上行多重接続技術のタイプ標識、送信に利用可能な変調コーディング方法などのパラメーターの１つ或いは任意の組合を含む。上行制御メッセージにおいて、各種の上行多重接続技術毎の端末に対し、上行多重接続エリアに１つの初期アクセスエリアをそれぞれに割当て、図１に示すように、上行多重接続エリア＃１と上行多重接続エリア＃２のｉｎｉｔｉａｌ  ｒａｎｇｉｎｇ  ｒｅｇｉｏｎ及びｒａｎｄｏｍ  ａｃｃｅｓｓ  ｓｌｏｔのそれぞれは、端末＃１と端末＃２が異なる初期ネットワークアクセス技術を使用して初期ネットワークアクセスを行うために利用される。しかし、端末の初期アクセスエリアが同じでもよく、端末＃１と端末＃２が同じ初期ネットワークアクセス様態を使用して初期ネットワークアクセスを行う場合、基地局は、上行制御メッセージにおいて、同一の上行多重接続技術を支持する全ての端末に対し、上行フレームの共用エリアに１つの初期アクセスエリアを割り当てることができる。
【００５１】
端末の初期ネットワークアクセスプロセスは図２に示すように、以下のステップを含む。
【００５２】
ステップ２１０：端末は、下行チャンネルをスキャンし、自身が支持する下行多重接続技術の同期信号を捜索する。
【００５３】
本実施例において、システム下行にはＯＦＤＭＡ多重接続技術を利用し、端末＃１と端末＃２は、図１に示す下行フレームプリアンブルを捜索する。基地局がｎ種の異なる下行アクセス様態を支持する場合、下行フレームには、端末の下行ネットワークアクセスのためのｎ個の同期信号を有する。システムの下行に利用されたのは他の多重接続技術であると、端末は、対応な同期信号を捜索し、当該同期信号は、プリアンブル信号であってもよく、同期チャンネル信号、或いは他の同期信号であってもよい。
【００５４】
ステップ２２０：端末は、基地局と同期を建立。
【００５５】
ステップ２３０：端末は、基地局と同期を建立した後、基地局が送信した下行フレームを受信し、当該下行フレームから上行制御メッセージを獲得し、上行制御メッセージから獲得された、基地局の支持する上行多重接続技術の標識に基づき、自身の上行多重接続技術が基地局に支持されるかどうかを判断し、Ｙｅｓの場合はステップ２４０を実行し、そうでなければ終了し、或いはステップ２１０に戻る。
【００５６】
本実施例において、端末＃１に対し、基地局が上行ＯＦＤＭＡを支持するかどうかを判断することが必要であり、端末＃２に対し、基地局が上行ＳＣ−ＦＤＭＡを支持するかどうかを判断することが必要である。端末は、獲得された基地局の支持する上行多重接続技術の標識が、自身の支持する上行多重接続技術の標識にマッチングできるかどうかに基づき、自身の上行多重接続技術が当該基地局に支持されるかどうかを判断し、端末は、自身の上行多重接続技術が基地局に支持されていないと判断する場合、下行フリークエンシーバンド内に再スキャンを行い、新たな利用可能な下行チャンネルを捜索する。
【００５７】
ステップ２４０：端末は、基地局の下行フレームから、上行制御メッセージを獲得し、上行制御メッセージから、利用可能な上行初期アクセスエリアの割当情報、及び上行発信パラメーター情報を獲得する。
【００５８】
ステップ２５０：端末は、基地局に指示された上行初期アクセスエリア内に、ネットワークアクセスメッセージを送信し、初期ネットワークアクセスを行う。
【００５９】
端末＃１と端末＃２は、受信された基地局の上行制御メッセージにおける初期アクセスエリアの情報に基づき、初期アクセスエリア＃１と初期アクセスエリア＃２において、異なる初期化技術をそれぞれ使用し、初期ネットワークアクセスを行う。
【００６０】
端末がネットワークにアクセスした後、基地局の下行データを受信するプロセスは図３に示すように、以下のステップを含む。
【００６１】
ステップ３１０：端末は、基地局が送信した下行フレームを受信し、当該下行フレームから下行制御メッセージを獲得して、下行制御メッセージから、下行多重接続エリアのリソース割当情報を獲得する。
【００６２】
端末＃１と端末＃２は、基地局の下行制御メッセージを受信し、ここではＤＬ−ＭＡＰメッセージであり、当該メッセージから、下行多重接続エリアのリソース割当情報を獲得する。
【００６３】
ステップ３２０：端末は、獲得されたリソース割当情報に基づき、基地局が下行送信したデータを受信する。
【００６４】
端末＃１と端末＃２は、下行多重接続エリアのリソース割当情報に基づき、基地局から本端末のために送信されたデータの位置及び係る情報（たとえば変調コーディング様態など）を獲得し、図１に示すように、基地局下行制御メッセージＤＬ−ＭＡＰにおいて、下行バースト＃１にデータを端末＃１に送信することが指示され、下行バースト＃２においてデータを端末＃２に送信することが指示される場合、端末＃１と端末＃２は、バーストの位置情報及びほかのパラメーターに基づき、バースト＃１とバースト＃２におけるデーターをそれぞれに受信する。
【００６５】
端末は基地局と通常な通信を行う時に、ある下行多重接続エリアの下行フレームにおける位置を変更する必要がある場合、基地局は、下行多重接続エリアの下行制御メッセージにおいて、位置変更の情報を繰り上げ送信すべきであり、該当位置変更の情報は、下行多重接続エリアの下行フレームにおける新たな位置、及び変化発生のフレームを含む。端末は、下行制御メッセージから、新たな下行エリアの位置情報を受信すると、新たなフレームに同期を行ってから、基地局と通常な通信を続ける。
【００６６】
端末がネットワークにアクセスした後、上行データの送信プロセスは図４に示すように、以下のステップを含む。
【００６７】
ステップ４１０：端末は、基地局が送信した下行フレームにおける上行制御メッセージから、各上行多重接続エリアのリソース割当情報を獲得する。
【００６８】
当該上行多重接続エリアに使用される上行多重接続技術は、当該端末に支持されるものである。
【００６９】
ステップ４２０：端末は、上行多重接続エリアのリソース割当情報に基づき、上行多重接続エリアの利用可能な上行バーストにおいて、自身の上行多重接続技術を使用してデータを送信する。
【００７０】
端末＃１と端末＃２は、各上行多重接続エリアのリソース割当情報に基づ、自身に割当てられた上行バーストの位置及び係る情報を獲得し、たとえば、図１に示すように、基地局は、上行制御メッセージＵＬ−ＭＡＰにおいて、上行多重接続エリア＃１におけるバースト＃１を端末＃１に割当て、基地局は、上行制御メッセージＵＬ−ＭＡＰにおいて、上行多重接続エリア＃２における上行タイムスロット＃１を端末＃２に割当てる。端末＃１と端末＃２のそれぞれは、当該情報の指示に基づき、上行バースト＃１と上行タイムスロット＃１において、それぞれが支持する上行多重接続技術を使用して上行送信を行う。
【００７１】
（第２実施例）
同一のキャリア周波数内に、基地局は、２種の下行多重接続技術と２種の上行多重接続技術とを支持し、本実施例では、具体的には、基地局は、下行ＯＦＤＭＡ多重接続技術と下行ＳＣ−ＦＤＭＡ多重接続技術と、上行ＯＦＤＭＡ多重接続技術と上行ＳＣ-ＦＤＭＡ多重接続技術とを支持する。システムにおいて、端末＃１と端末＃２とを含み、端末＃１は、下行ＯＦＤＭＡ多重接続技術と上行ＯＦＤＭＡ多重接続技術を支持し、端末＃２は、下行ＳＣ−ＦＤＭＡ多重接続技術と上行ＳＣ−ＦＤＭＡ多重接続技術を支持する。
【００７２】
本実施例を実現するフレーム構造は図５に示すように、当該フレーム構造は、下行フレームと上行フレームとを含む。下行フレームと上行フレームとは、時間分割或いは周波数分割の様態により、２つの下行多重接続エリアと２つの上行多重接続エリアに分割され、各下行多重接続エリアは１種の下行多重接続技術を支持し、各上行多重接続エリアは１種の上行多重接続技術を支持する。各下行多重接続エリアの下行フレームにおける相対位置は変更可能であり、各上行多重接続エリアの上行フレームにおける相対位置も変更可能である。下行多重接続エリア＃１と下行多重接続エリア＃２は、ＯＦＤＭＡ多重接続技術とＳＣ−ＦＤＭＡ多重接続技術をそれぞれに支持し、上行多重接続エリア＃１と上行多重接続エリア＃２は、ＯＦＤＭＡ多重接続技術とＳＣ−ＦＤＭＡ多重接続技術をそれぞれに支持する。２つの下行多重接続エリアは、２つの上行多重接続エリアに関連付けられ、ここで、下行多重接続エリア＃１は上行多重接続エリア＃１に関連付けられ、下行多重接続エリア＃２は上行多重接続エリア＃２に関連付けられた。下行多重接続エリアに関連付けられた上行多重接続エリアとは、当該下行多重接続エリアに対応な下行多重接続技術と、関連付けられた上行多重接続エリアに対応な上行多重接続技術とを同時に支持する端末があることである。
【００７３】
基地局は、下行多重接続エリア＃１と下行多重接続エリア＃２の先頭に、それぞれにプリアンブル＃１と同期タイムスロット＃１（Ｓｙｎｃ  Ｓｌｏｔ１）を送信し、それぞれが、下行ＯＦＤＭＡ多重接続技術と下行ＳＣ−ＦＤＭＡ多重接続技術が支持される端末の初期ネットワーク捜索と同期に利用される。
【００７４】
基地局は、下行多重接続エリア毎に、それぞれの下行多重接続エリアの制御メッセージをそれぞれ送信し、当該制御メッセージは下行制御メッセージと上行制御メッセージとを含む。当該下行制御メッセージと上行制御メッセージのそれぞれは、当該下行多重接続エリア及びそれに対応する上行多重接続エリアの制御に利用される。
【００７５】
下行多重接続エリア毎に送信された上行制御メッセージにおいて、上行多重接続技術の情報、上行発信パラメーター、位置情報、リソース割当情報、初期アクセスエリアの割当情報を含む。ここで、前記上行多重接続エリアの位置情報は、上行多重接続エリア毎の上行フレームにおける位置及び/或いはサイズを含み、前記上行多重接続エリア毎のリソース割当情報は、各多重接続エリアにおける上行バースト或いはタイムスロットの位置情報、サイズ、タイプ、当該上行バースト或いはタイムスロットの宛先アドレス、及び送信に利用された変調コーディング方法などのパラメーターの１つ或いは任意の組合を含んでもよく、前記上行バースト或いはタイムスロットの宛先アドレスは、当該バーストまたはタイムスロットにおいて上行送信する端末を指示することに利用される。上行制御メッセージにおいて、初期アクセスエリアの割当情報も含み、当該上行多重接続技術を支持する端末が初期ネットワークアクセスを行うために利用される。
【００７６】
下行多重接続エリア毎に送信された下行制御メッセージにおいて、当該下行多重接続エリアの発信パラメーターと、当該下行多重接続エリアのリソース割当情報とを含む。ある下行多重接続エリアの下行フレームにおける位置を変更する必要がある場合、基地局は、下行多重接続エリアの下行制御メッセージにおいて、位置変更の情報を繰り上げ送信すべきであり、当該位置変更の情報は、下行多重接続エリアの下行フレームにおける新たな位置、及び変化発生のフレームを含む。
【００７７】
図５に示すように、ＯＦＤＭＡ多重接続技術が支持される下行多重接続エリア＃１において、下行制御メッセージＤＬ−ＭＡＰと上行制御メッセージＵＬ−ＭＡＰとにより、下行多重接続エリア＃１とそれに対応する上行多重接続エリア＃１の位置情報とリソース割当情報をそれぞれに送信する。下行制御メッセージＤＬ−ＭＡＰにおける下行多重接続エリアのリソース割当情報は、下行多重接続エリアにおける全てのバーストの位置、バーストの宛先アドレス、バーストのサイズ、送信に利用された変調コーディング様態などのうちの１つ或いは任意の組合を含む。図５に示すように、下行制御メッセージは、バースト＃１を端末＃１に割当ることを指示する。上行制御メッセージＵＬ−ＭＡＰにおける上行多重接続エリアの位置情報は、当該上行多重接続エリアの上行フレームにおける位置及び/或いはサイズを指示し、上行多重接続エリアのリソース割当情報は、下行多重接続エリアに関連付けられた上行多重接続エリアにおける全てのバーストの位置、どの端末に割当てられ、バーストのサイズ、利用された変調コーディング様態などのうちの１つ或いは任意の組合を含む。図５に示すように、上行制御メッセージは、端末＃１が上行送信を行うために上行バースト＃１を指示する。上行制御メッセージＵＬ−ＭＡＰにおいて、初期アクセスエリア（Ｉｎｉｔｉａｌ  Ｒａｎｇｉｎｇ  ｒｅｇｉｏｎ及びＲａｎｄｏｍ  Aｃｃｅｓｓ  ｓｌｏｔ）の割当情報を含んでもよい。また、上行多重接続エリア＃１の位置及び/或いはサイズを変更する必要がある場合、基地局は、下行多重接続エリア＃１の上行制御メッセージにおいて、位置変更の情報を送信する。
【００７８】
図５に示すように、ＳＣ−ＦＤＭＡ多重接続技術が支持される下行多重接続エリア＃２において、下行制御と上行制御タイムスロットにより、下行多重接続エリア＃２とそれに対応する上行多重接続エリア＃２の位置情報とリソース割当情報をそれぞれに送信する。下行多重接続エリア＃２の下行制御タイムスロットには、下行データタイムスロット＃２を端末＃２に割当て、端末＃２は、当該タイムスロットにおいて、上行ＳＣ−ＦＤＭＡ技術を使用してデータ受信を行い、下行多重接続エリア＃２の上行制御タイムスロットには、初期アクセスチャンネル及びデータチャンネルの位置を割当てる。
【００７９】
端末の初期ネットワークアクセスを行うプロセスは図６に示すように、以下のステップを含む。
【００８０】
ステップ６１０：端末は自身が支持する下行多重接続技術の同期信号を捜索する。
【００８１】
基地局は、以下の様態で異なる多重接続技術の同期信号を送信することができる。即ち、前記基地局は、下行多重接続エリア毎の同期チャンネルにおいて、下行多重接続技術毎の同期信号を送信し、或いは、前記基地局は、下行フレームの共用の同期エリアにおいて、それが支持する全ての下行多重接続技術の端末へ同期信号を送信し、下行多重接続技術毎の同期信号は、１つの下行多重接続エリアに対応する。
【００８２】
端末１と端末２のそれぞれは、下行チャンネルをスキャンし、自身が支持する同期信号を捜索する。図５に示すように、下行ＯＦＤＭＡ多重接続技術が支持される端末１は下行プリアンブルを捜索し、下行ＳＣ−ＦＤＭＡ多重接続技術が支持される端末２は下行同期チャンネルを捜索する。
【００８３】
ステップ６２０：端末は、基地局と同期を建立。
【００８４】
ステップ６３０：端末は、基地局と同期を建立した後、基地局が送信した下行フレームを受信し、自身の上行多重接続技術が基地局に支持されるかどうかを判断し、Ｙｅｓの場合はステップ６４０を実行し、そうでなければ、ステップ６１０に戻る。
【００８５】
ステップ６４０：端末は、上行制御メッセージから、自身が支持する下行多重接続エリアの初期アクセスエリアの割当情報、及び上行発信パラメーターを獲得する。
【００８６】
基地局は２種の上行多重接続アクセス技術を支持する場合、端末は、基地局と同期を取った後、自身の上行多重接続技術が当該基地局に支持されるかどうかを予め判断する必要があり、基地局は１種の上行多重接続アクセス技術のみを支持する場合、端末がネットワークにアクセスした後、基地局は、当該端末が利用する多重接続技術は本基地局と同じであると黙認してもよい。
【００８７】
ステップ６５０：端末は、初期アクセスエリアの割当情報に基づき、前記上行初期ネットワークアクセスエリアにおいて、ネットワークアクセスメッセージを送信し、初期ネットワークアクセスを行う。
【００８８】
端末＃１と端末＃２のそれぞれは、上行多重接続エリア＃１と上行多重接続エリア＃２において、それぞれの技術を使用し、初期ネットワークアクセスを行う。
【００８９】
以上の端末処理の流れはおおむね図２と同じであるが、端末＃１と端末＃２では、支持される上行と下行多重接続技術が異なるので、具体的な処理が異なるところがある。
【００９０】
システムにおいて、端末が基地局と通常な通信を行う過程において、支持する下行多重接続エリアの位置が変更する場合、端末は、基地局と再同期を建立する必要があり、図７に示すように、以下のステップを含む。
【００９１】
ステップ７１０：端末は基地局と通常な通信を行う。
【００９２】
ステップ７２０：端末は、基地局の下行制御メッセージを受信し、メッセージには、以降のあるフレームにおける下行多重接続エリアの位置変更情報が指示され、その位置変更情報は、下行多重接続エリアの下行フレームにおける新たな位置、及びそれが起こるフレームを含む。
【００９３】
ステップ７３０：端末は、指示情報に基づき、変更が起こるフレームにおいて同期信号を捜索し、同期を獲得。
【００９４】
ステップ７４０：端末は、基地局との通常な通信状態に入る。
【００９５】
端末がネットワークにアクセスした後、下行データを受信するプロセスは以下である。
【００９６】
ステップ１：端末は、基地局が送信した下行フレームを受信し、対応な下行多重接続エリアから下行制御メッセージを獲得して、下行多重接続エリアのリソース割当情報を獲得する。
【００９７】
当該下行多重接続エリアに使用される下行多重接続技術は当該端末に支持されるものである。端末が受信した下行制御メッセージにおいて、以降のあるフレームにおける当該下行多重接続エリアの位置変更の情報が指示される場合、端末は、当該以降の下行フレームにおいて、新たな位置で同期信号の捜索、同期及び下行受信を行う。
【００９８】
ステップ２：端末は、下行多重接続エリアのリソース割当情報に基づき、基地局が下行送信したデータを受信する。
【００９９】
端末がネットワークにアクセスした後、上行データの送信プロセスは以下である。
【０１００】
ステップ１：端末は、下行フレームにおける対応な下行多重接続エリアで基地局により送信された上行制御メッセージを受信し、当該下行多重接続エリアに対応する上行多重接続エリアの位置情報とリソース割当情報を獲得する。
【０１０１】
当該下行多重接続エリアに使用される下行多重接続技術、及び対応な上行多重接続エリアに使用される上行多重接続技術は、当該端末に支持されるものである。
【０１０２】
ステップ２：端末は、上行多重接続エリアのリソース割当情報に基づき、前記上行多重接続エリアの利用可能な上行バースト或いはタイムスロットにおいて、送信を行う。
【０１０３】
（第３実施例）
本実施例では、基地局は、下行ＯＦＤＭＡ多重接続技術と下行ＭＣ−ＴＤ−ＳＣＤＭＡ多重接続技術と、上行ＯＦＤＭＡ多重接続技術と上行ＳＣ-ＦＤＭＡ多重接続技術と上行ＭＣ-ＴＤ−ＳＣＤＭＡ多重接続技術とを支持する。端末＃１は、下行ＯＦＤＭＡ多重接続技術と上行ＯＦＤＭＡ多重接続技術を支持し、端末＃２は、下行ＯＦＤＭＡ多重接続技術と上行ＳＣ−ＦＤＭＡ多重接続技術を支持し、端末＃３は、下行ＭＣ−ＴＤ−ＳＣＤＭＡ（マルチキャリア時間分割同期符号多重接続）多重接続技術と上行ＭＣ−ＴＤ−ＳＣＤＭＡ多重接続技術を支持する。
【０１０４】
本実施例を実現するフレーム構造は図８に示すように、端末＃１は、下行多重接続エリア＃１と上行多重接続エリア＃１により、基地局と通信を行い、端末＃２は、下行多重接続エリア＃１と上行多重接続エリア＃３により、基地局と通信を行い、端末＃３は、下行多重接続エリア＃２と上行多重接続エリア＃２により、基地局と通信を行う。
【０１０５】
基地局は、下行多重接続エリア＃１と下行多重接続エリア＃２の先頭に、それぞれにプリアンブル＃１と同期タイムスロット＃１を送信し、それぞれが、下行ＯＦＤＭＡ多重接続技術と下行ＭＣ−ＴＤ−ＳＣＤＭＡ多重接続技術が支持される端末の初期ネットワーク捜索と同期に利用される。
【０１０６】
基地局は、以下の様態で異なる多重接続技術の同期信号を送信することができる。即ち、基地局は、下行多重接続エリア毎の同期チャンネルにおいて、下行多重接続技術毎の同期信号を送信し、或いは、基地局は、下行フレームの共用の同期エリアにおいて、それが支持する全ての下行多重接続技術の端末へ同期信号を送信し、下行多重接続技術毎の同期信号は、１つの下行多重接続エリアに対応する。
【０１０７】
基地局は、下行多重接続エリア＃１において、当該下行多重接続エリアの下行制御メッセージＤＬ−ＭＡＰ、及び、当該下行多重接続エリアに対応する上行多重接続エリア＃１と上行多重接続エリア＃３の上行制御メッセージＵＬ−ＭＡＰを送信する。下行制御メッセージには、当該下行多重接続エリアのリソース割当情報を含む。図に示すように、基地局は、下行制御メッセージＤＬ−ＭＡＰを使用して、下行多重接続エリア＃１において、バースト＃１とバースト＃２を、下行ＯＦＤＭＡ多重接続技術が支持される端末＃１と端末＃２にそれぞれに割り当てる。また、基地局は、下行制御メッセージＤＬ−ＭＡＰを使用して、バースト３〜６を、下行ＯＦＤＭＡ多重接続技術が支持される他の端末に割り当てる。
【０１０８】
図８に示すように、基地局は、下行多重接続エリア＃１の上行制御メッセージにおいて、上行多重接続エリア＃１と上行多重接続エリア＃３の位置情報やリソース割当情報、初期アクセスエリアの割当情報等を送信する。上行多重接続エリア＃１において、基地局は、端末＃１の上行送信のためにバースト＃１を割り当て、上行多重接続エリア＃３において、基地局は、端末＃２の上行送信のためにタイムスロット＃２を割り当てる。図８に示すように、基地局は、下行多重接続エリア＃１の上行制御メッセージにおいて、当該下行多重接続エリアに対応する上行多重接続エリア＃１と上行多重接続エリア＃３に対し、初期アクセスエリアを割り当てる。上行多重接続エリア＃１における初期アクセスエリアは、上行ＯＦＤＭＡ多重接続技術が支持される端末に利用され、例えば、端末＃１は初期ネットワークアクセスを行い、上行多重接続エリア＃３のタイムスロット＃１におけるランダムアクセスチャンネル（ｒａｎｄｏｍ  ａｃｃｅｓｓ  ｃｈａｎｎｅｌ）は、端末＃２の初期ネットワークアクセスに利用される。
【０１０９】
図８に示すように、基地局は、下行多重接続エリア＃２の下行と上行制御タイムスロットにおいて、下行制御メッセージと上行制御メッセージを送信し、それぞれが、当該下行多重接続エリア及びそれに対応する上行多重接続エリア＃２に対する制御メッセージを含む。基地局は、下行多重接続エリア＃２における下行タイムスロット＃２を端末＃３に割り当て、上行多重接続エリア＃２における上行タイムスロット＃１を端末＃３に割り当て、且つ、上行多重接続エリア＃２において、ランダムアクセスタイムスロット（Ｒａｎｄｏｍ  ａｃｃｅｓｓ  Ｓｌｏｔ）の割当を含む。
【０１１０】
以上説明したのは本発明の好ましい実施例のみであり、本発明を制限するものではない。本分野の当業者ならば、本発明には幾つかの変更と変形がある。本発明の要旨を逸脱しない範囲で、いずれかの変更や、同じものの取替、改善などは本発明における請求の範囲に属すべきである。
【０１１１】
例えば、基地局は、下行フレームの先頭に或いは同期チャンネルにおいて、当該基地局が支持する全ての下行多重接続技術の同期信号を送信してもよい。
【産業上の利用可能性】
【０１１２】
本発明は、無線通信分野に適用可能であり、異なる多重接続技術を同一のキャリア周波数で支持することを実現する。
【手続補正２】
【補正対象書類名】特許請求の範囲
【補正対象項目名】全文
【補正方法】変更
【補正の内容】
【特許請求の範囲】
【請求項１】
多種の多重接続技術が支持されるシステムにおける端末のアクセス方法であって、
（ａ）基地局が下行フレームを送信し、下行フレームにおいて少なくとも１つの下行多重接続エリアを含み、下行多重接続エリア毎に１種の下行多重接続技術が支持され、各下行多重接続エリアが１つあるいは複数の上行多重接続エリアに関連付けられ、下行多重接続エリア毎の上行制御メッセージには、関連付けられた上行多重接続エリアが支持する上行多重接続技術情報、及び対応な初期アクセスエリアの割当情報を含み、上行フレームは、異なる上行多重接続技術が支持される少なくとも２つの上行多重接続エリアに区画され、
（ｂ）端末は、下行チャンネルをスキャンし、自身が支持する下行多重接続技術の同期信号を捜索し、基地局と同期を取った後、対応な下行多重接続エリアから上行制御メッセージを獲得し、それにおける情報に基づき、自身が支持される上行多重接続技術があると判断し、当該上行制御メッセージに指示された初期アクセスエリア情報に基づき、初期ネットワークアクセスを行い、そうでなければ、チャンネルの再スキャンを行うステップを含むアクセス方法。
【請求項２】
前記上行多重接続エリアと下行多重接続エリアは、時間分割様態あるいは周波数分割様態により区画され、前記下行多重接続エリア毎の上行制御メッセージには、関連付けられた上行多重接続エリアの位置及び/或いはサイズ情報をさらに含み、前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることであることを特徴とする請求項１に記載のアクセス方法。
【請求項３】
基地局が送信した前記下行フレームは、上行フレームにおける複数の上行多重接続エリアに関連付けられた１つの下行多重接続エリアを含み、
或いは、基地局が送信した前記下行フレームは、それぞれが上行フレームにおける１つ或いは複数の上行多重接続エリアに関連付けられた少なくとも２つの下行多重接続エリアを含むことを特徴とする請求項１或いは２に記載のアクセス方法。
【請求項４】
前記上行多重接続エリアに対応な初期アクセスエリアの割当情報は、初期アクセスエリアの位置、サイズ、支持される上行多重接続技術のタイプのうちの１つ或いは任意の組合を含むことを特徴とする請求項１或いは２に記載の方法。
【請求項５】
異なる上行多重接続技術を利用する端末は、異なる初期アクセスエリアを使用してアクセスを行い、各初期アクセスエリアは、対応な上行多重接続エリアに位置し、
或いは、初期アクセスエリアは、上行フレームにおける共用エリアに位置し、多種の上行多重接続技術を利用する端末は、同じの初期アクセスエリアを使用してアクセスを行うことができることを特徴とする請求項４に記載の方法。
【請求項６】
前記下行フレームが複数の下行多重接続エリアを含む場合、各下行多重接続エリアの相対位置も変更可能であり、
ある下行多重接続エリアの位置を変更する必要がある場合、基地局は、下行多重接続エリアに対応な下行制御メッセージにおいて、位置変更の情報を繰り上げ送信し、当該位置変更の情報は、下行多重接続エリアのフレームにおける新たな位置、及び発生したフレームを含み、
端末は、基地局と通常な通信を行い、端末が下行多重接続エリアの，以降のある１つのフレームにおける当該下行多重接続エリアの位置変更指示の情報を含んだ下行制御メッセージを受信した後、指示に従い、新たな下行多重接続エリアが位置するフレームにおいて、同期信号の捜索を行い、同期を完了した後、通常な通信を続けることを特徴とする請求項１或いは２に記載のアクセス方法。
【請求項７】
前記基地局は、各下行多重接続エリアの同期チャンネルにおいて、各下行多重接続技術の同期信号を送信し、
或いは、前記基地局は、下行フレームの共用の同期エリアにおいて、全ての下行多重接続技術の端末に同期信号を送信し、各下行多重接続技術の同期信号は１つの下行多重接続エリアに対応することを特徴とする請求項１或いは２に記載のアクセス方法。
【請求項８】
前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含むことを特徴とする請求項１或いは２に記載の方法。
【請求項９】
多種の多重接続技術が支持されるシステムが下行伝送を実現する方法であって、
（ａ）基地局が下行フレームを送信し、下行フレームにおいて少なくとも１つの下行多重接続エリアを含み、下行多重接続エリア毎に１種の下行多重接続技術の送信が支持され、各下行多重接続エリアが１つあるいは複数の上行多重接続エリアに関連付けられ、下行多重接続エリア毎の上行制御メッセージには、関連付けられた上行多重接続エリアの情報を含み、下行多重接続エリア毎の下行制御メッセージには、当該エリアのリソース割当情報を含み、上行フレームは、異なる上行多重接続技術が支持される少なくとも２つの上行多重接続エリアに区画され、
（ｂ）端末は、初期アクセスを完了した後、支持する下行多重接続技術に対応な下行多重接続エリアから下行制御メッセージを獲得し、それにおけるリソース割当情報に基づき、基地局により下行送信されたデータを受信するステップを含む方法。
【請求項１０】
基地局が送信した前記下行フレームは、上行フレームにおける複数の上行多重接続エリアに関連付けられた１つの下行多重接続エリアを含み、或いは、基地局が送信した前記下行フレームは、それぞれが上行フレームにおける１つ或いは複数の上行多重接続エリアに関連付けられた少なくとも２つの下行多重接続エリアを含み、前記上行多重接続エリアと下行多重接続エリアは、時間分割様態あるいは周波数分割様態により区画され、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることであることを特徴とする請求項９に記載の方法。
【請求項１１】
前記下行多重接続エリア毎の下行制御メッセージには、当該エリアのリソース割当情報に加え、下行多重接続エリアの位置情報及び/或いは下行発信パラメーターをさらに含み、前記リソース割当情報は、下行リソースブロックの位置、サイズ、タイプ、宛先アドレス、発信パラメーターのうちの１種或いは任意の組合をさらに含み、当該宛先アドレスは、当該下行リソースブロックにデータを受信可能な端末を指示することに用いられることを特徴とする請求項９或いは１０に記載の方法。
【請求項１２】
前記下行フレームが複数の下行多重接続エリアを含む場合、各下行多重接続エリアの相対位置が変更可能であり、ある下行多重接続エリアの位置を変更する必要がある場合、基地局は、下行多重接続エリアに対応な下行制御メッセージにおいて、位置変更の情報を繰り上げ送信し、当該位置変更の情報は、下行多重接続エリアのフレームにおける新たな位置、及び発生したフレームを含み、端末は、下行多重接続エリアの、以降のある１つのフレームにおける当該下行多重接続エリアの位置変更指示の情報を含んだ下行制御メッセージを受信した後、指示に従い、新たな下行多重接続エリアが位置するフレームにおいて、同期信号の捜索を行い、同期を完了した後、通常な通信を続けることを特徴とする請求項９或いは１０に記載の方法。
【請求項１３】
前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含むことを特徴とする請求項１０或いは１１に記載の方法。
【請求項１４】
多種の多重接続技術が支持されるシステムが上行伝送を実現する方法であって、当該プロセスは
（ａ）基地局が下行フレームを送信し、下行フレームにおいて少なくとも１つの下行多重接続エリアを含み、下行多重接続エリア毎に１種の下行多重接続技術の送信が支持され、各下行多重接続エリアが１つあるいは複数の上行多重接続エリアに関連付けられ、下行多重接続エリア毎の上行制御メッセージには、関連付けられた上行多重接続エリアのリソース割当情報を含み、上行フレームは、異なる上行多重接続技術が支持される少なくとも２つの上行多重接続エリアに区画され、
（ｂ）端末は、初期アクセスを完了した後、支持する下行多重接続技術に対応な下行多重接続エリアから上行制御メッセージを獲得し、それにおけるリソース割当情報に基づき、利用可能なリソースブロックにおいて、自身の上行多重接続技術を使用して上行送信を行うステップを含む。
【請求項１５】
基地局が送信した前記下行フレームは、上行フレームにおける複数の上行多重接続エリアに関連付けられた１つの下行多重接続エリアを含み、或いは、基地局が送信した前記下行フレームは、それぞれが上行フレームにおける１つ或いは複数の上行多重接続エリアに関連付けられた少なくとも２つの下行多重接続エリアを含み、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることであることを特徴とする請求項１４に記載の方法。
【請求項１６】
前記上行制御メッセージには、関連付けられた上行多重接続エリアのリソース割当情報に加え、関連付けられた上行多重接続エリアの、支持する上行多重接続技術情報、位置、サイズのうちの１種或いは任意の組合をさらに含み、ここで、リソース割当情報は、上行リソースブロックの位置、サイズ、タイプ、宛先アドレス、発信パラメーターのうちの１種或いは任意の組合を含み、当該宛先アドレスは、当該上行リソースブロックにおいて上行送信をおこなう端末を指示することに用いられることを特徴とする請求項１４或いは１５に記載の方法。
【請求項１７】
前記上行フレームにおける複数の上行多重接続エリアの相対位置が変更可能であり、
ある上行多重接続エリアの位置を変更する必要がある場合、基地局は、下行多重接続エリアに対応な上行制御メッセージにおいて、上行多重接続エリアの位置変更の情報を送信し、カレントフレームにおける上行多重接続エリアの新たな位置を指示し、
端末は、下行多重接続エリアの上行制御メッセージに指示されたカレントフレームにおける上行多重接続エリアの新たな位置情報を受信した後、新たな上行多重接続エリアで上行信号の送信を行うことを特徴とする請求項１４或いは１５に記載の方法。
【請求項１８】
前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含むことを特徴とする請求項１４或いは１５に記載の方法。
【請求項１９】
上行フレームと下行フレームを含む、多種の多重接続技術が支持されるシステムフレーム構造であって、
前記下行フレームにおいて少なくとも１つの下行多重接続エリアを含み、下行多重接続エリア毎に１種の下行多重接続技術が支持され、前記上行フレームにおいて、異なる上行多重接続技術が支持される少なくとも２つの上行多重接続エリアを含み、各下行多重接続エリアは、１つあるいは複数の上行多重接続エリアに関連付けられることを特徴とする上行フレームと下行フレームを含む、多種の多重接続技術が支持されるシステムフレーム構造。
【請求項２０】
前記下行フレームは、上行フレームにおける複数の上行多重接続エリアに関連付けられた１つの下行多重接続エリアを含み、或いは、前記下行フレームは、それぞれが上行フレームにおける１つ或いは複数の上行多重接続エリアに関連付けられた少なくとも２つの下行多重接続エリアを含み、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることであり、下行多重接続エリア毎の上行制御メッセージには、関連付けられた上行多重接続エリアの情報を含むことを特徴とする請求項１９に記載のシステムフレーム構造。
【請求項２１】
前記上行フレームには初期アクセスエリアをさらに含み、初期接続エリアは、対応な１つの上行多重接続エリアに位置し、或いは、初期接続エリアは、上行フレームにおける共用エリアに位置することを特徴とする請求項１９或いは２０に記載のシステムフレーム構造。
【請求項２２】
前記上行制御メッセージにおける関連付けられた上行多重接続エリアの情報は、対応な初期アクセスエリアの割当情報、支持する上行多重接続技術情報、関連付けられた上行多重接続エリア位置、サイズ、発信パラメーター、リソース割当情報のうちの１種或いは任意の組合を含み、ここで、リソース割当情報は、上行リソースブロックの位置、サイズ、タイプ、宛先アドレス、発信パラメーターのうちの１種或いは任意の組合を含み、当該宛先アドレスは、当該上行リソースブロックにおいて上行送信をおこなう端末を指示することに用いられることを特徴とする請求項１９或いは２０に記載のシステムフレーム構造。
【請求項２３】
前記下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、前記上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含むことを特徴とする請求項１９或いは２０に記載のシステムフレーム構造。
【請求項２４】
各下行多重接続エリアの同期チャンネルにおいて、下行多重接続技術に対応な同期信号を含み、或いは、下行フレームの共用の同期チャンネルエリアにおいて、全ての下行多重接続技術の同期信号を含み、各下行多重接続技術の同期信号は１つの下行多重接続エリアに対応することを特徴とする請求項１９或いは２０に記載のシステムフレーム構造。
【請求項２５】
基地局と端末とを含む、多種の多重接続技術が支持されるシステムであって、
前記基地局は、下行フレームを送信し、下行フレームにおいて少なくとも１つの下行多重接続エリアを含み、下行多重接続エリア毎に１種の下行多重接続技術の送信が支持され、各下行多重接続エリアが１つあるいは複数の上行多重接続エリアに関連付けられ、下行多重接続エリア毎の上行制御メッセージには、関連付けられた上行多重接続エリアが支持する上行多重接続技術情報と、対応な初期アクセスエリアの割当情報と、当該下行多重接続エリアに関連付けられた上行多重接続エリアのリソース割当情報とを含み、下行多重接続エリア毎の下行制御メッセージには、当該下行多重接続エリアのリソース割当情報を含み、上行フレームは、異なる上行多重接続技術が支持される少なくとも２つの上行多重接続エリアに区画され、
前記端末は、下行チャンネルをスキャンし、自身が支持する下行多重接続技術の同期信号を捜索し、基地局と同期を取った後、対応な下行多重接続エリアから上行制御メッセージを獲得し、それにおける情報に基づき、システムが自身の上行多重接続技術を支持すると判断した場合、当該上行制御メッセージに指示された初期アクセスエリア情報に基づき、初期ネットワークアクセスを行ってから、支持する下行多重接続技術に対応の下行多重接続エリアから、下行制御メッセージと上行制御メッセージとを獲得し、それにおけるリソース割当情報に基づき、基地局が下行送信したデータを受信し、及び、利用可能なリソースブロックにおいて、自身の上行多重接続技術を使用して上行送信を行うことを特徴とする基地局と端末とを含む、多種の多重接続技術が支持されるシステム。
【請求項２６】
基地局が送信した前記下行フレームは、上行フレームにおける複数の上行多重接続エリアに関連付けられた１つの下行多重接続エリアを含み、或いは、基地局が送信した前記下行フレームは、それぞれが上行フレームにおける１つ或いは複数の上行多重接続エリアに関連付けられた少なくとも２つの下行多重接続エリアを含み、前記上行多重接続エリアと下行多重接続エリアは、時間分割様態あるいは周波数分割様態により区画され、
前記下行多重接続エリアが上行多重接続エリアに関連付けられることとは、当該下行多重接続エリアに対応な下行多重接続技術と、関連付けられた上行多重接続エリアに対応な上行多重接続技術とを同時に支持する端末があることであることを特徴とする請求項２５に記載のシステム。
【請求項２７】
基地局は、ある下行多重接続エリアの位置を変更する必要がある場合、下行多重接続エリアに対応な下行制御メッセージにおいて、位置変更の情報を繰り上げ送信し、当該位置変更の情報は、下行多重接続エリアのフレームにおける新たな位置、及び発生したフレームを含み、
端末は、基地局と通常な通信を行い、下行多重接続エリアの、以降のある１つのフレームにおける当該下行多重接続エリアの位置変更指示の情報を含んだ下行制御メッセージを受信した後、指示に従い、新たな下行多重接続エリアが位置するフレームにおいて、同期信号の捜索を行い、同期を完了した後、通常な通信を続けることを特徴とする請求項２５に記載のシステム。
【請求項２８】
前記基地局は、各下行多重接続エリアの同期チャンネルにおいて、各下行多重接続技術の同期信号を送信し、或いは、下行フレームの共用の同期エリアにおいて、全ての下行多重接続技術の端末に同期信号を送信し、各下行多重接続技術の同期信号は１つの下行多重接続エリアに対応することを特徴とする請求項２５に記載のシステム。
【請求項２９】
前記基地局により下行多重接続エリア毎の上行制御メッセージに含まれた初期アクセスエリアの割当情報において、各上行多重接続エリアは、１つの初期アクセスエリアをそれぞれに有し、或いは、初期アクセスエリアは上行フレームにおける共用エリアに位置し、多種の上行多重接続技術を利用する端末は、同じの初期アクセスエリアを使用してアクセスを行うことができることを特徴とする請求項２５に記載のシステム。
【請求項３０】
前記基地局が送信した下行フレームにおける下行多重接続エリアが支持する下行多重接続技術は、ＯＦＤＭＡ多重接続技術、ＳＣ-ＦＤＭＡ多重接続技術、ＭＣ−ＴＤ−ＳＣＤＭＡ多重接続技術のうちの１種或いは多種を含み、受信された上行フレームにおける上行多重接続エリアが支持する上行多重接続技術は、ＯＦＤＭＡ多重接続技術、ＳＣ-ＦＤＭＡ多重接続技術、ＭＣ−ＴＤ−ＳＣＤＭＡ多重接続技術のうちの少なくとも２種を含むことを特徴とする請求項２５に記載のシステム。
【国際調査報告】
2010524308.tif 000011
2010524308.tif 000012
2010524308.tif 000013
2010524308.tif 000014
2010524308.tif 000015
2010524308.tif 000016